(57)【要約】  本願実施例は、情報の伝送方法、端末機器およびネットワーク機器を開示し、当該方法は、端末機器が、１つのチャネル占有時間（ＣＯＴ）内のダウンリンクリソースでｎグループのダウンリンクチャネル／信号を受信することであって、当該ｎグループのダウンリンクチャネル／信号内の各グループのダウンリンクチャネル／信号は、少なくとも１つのダウンリンクチャネル／信号を含むことと、当該端末機器が当該ＣＯＴ内のアップリンクリソースで当該ｎグループのダウンリンクチャネル／信号内の第ｉグループのダウンリンクチャネル／信号に対応するアップリンク情報を伝送することと、当該第ｉグループのダウンリンクチャネル／信号に対応するアップリンク情報を伝送するための開始時間は、当該第ｉグループのダウンリンクチャネル／信号の終了時間Ｔ０、当該ダウンリンクリソースの終了時間Ｔ１およびダウンリンクチャネル／信号の処理遅延に従って決定されることと、を含む。本願実施例の方法、端末機器およびネットワーク機器は、無認可スペクトルでのＣＯＴ内でダウンリンクチャネル／信号に対応するアップリンク情報を伝送することを実現でき、且つ、対応するアップリンク情報を信頼的に伝送することに有益である。
2022500892.tif 000002
【特許請求の範囲】
【請求項１】
情報の伝送方法であって、
端末機器が、１つのチャネル占有時間（ＣＯＴ）内のダウンリンクリソースでｎグループのダウンリンクチャネル／信号を受信することであって、前記ｎグループのダウンリンクチャネル／信号内の各グループのダウンリンクチャネル／信号は、少なくとも１つのダウンリンクチャネル／信号を含み、ｎは１より大きいか等しい正の整数であることと、
前記端末機器が、前記ＣＯＴ内のアップリンクリソースで前記ｎグループのダウンリンクチャネル／信号内の第ｉグループのダウンリンクチャネル／信号に対応するアップリンク情報を伝送することであって、ｉはｎより小さい正の整数であることと、を含み、
前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定されることを特徴とする、前記情報の伝送方法。
【請求項２】
ｉは１より大きく、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定されることを特徴とする、
請求項１に記載の情報の伝送方法。
【請求項３】
前記第ｉグループのダウンリンクチャネル／信号に対応するアップリンク情報を伝送するための開始時間は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項２に記載の情報の伝送方法。
【請求項４】
前記情報の伝送方法は、
前記端末機器が、ネットワーク機器の構成情報を受信することをさらに含み、前記構成情報は、前記第ｉグループのダウンリンクチャネル／信号に対応するアップリンク情報を伝送するための開始時間を指示するために使用され、前記構成情報によって指示される時間は、第１閾値より前ではなく、前記第１閾値は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項２に記載の情報の伝送方法。
【請求項５】
（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延であり、Ｇは前記ダウンリンクリソースと前記アップリンクリソースとの間隔であることを特徴とする、
請求項１ないし４のいずれか一項に記載の情報の伝送方法。
【請求項６】
（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延に従って決定され、Ｇは前記ダウンリンクリソースと前記アップリンクリソースとの間隔であることを特徴とする、
請求項１ないし４のいずれか一項に記載の情報の伝送方法。
【請求項７】
（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延であり、Ｇは前記ダウンリンクリソースと前記アップリンクリソースとの間隔であることを特徴とする、
請求項１ないし４のいずれか一項に記載の情報の伝送方法。
【請求項８】
（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延に従って決定されることを特徴とする、
請求項１ないし４のいずれか一項に記載の情報の伝送方法。
【請求項９】
前記ｎグループのダウンリンクチャネル／信号の終了時間がＴ１より小さいと、前記情報の伝送方法は、
前記端末機器が前記ｎグループのダウンリンクチャネル／信号の終了時間とＴ１との間で特定のダウンリンクチャネル／信号／情報を受信することをさらに含み、
前記特定のダウンリンクチャネル／信号／情報は、対応するアップリンク情報がなく、または前記特定のダウンリンクチャネル／信号／情報は、共通チャネル／信号／情報であることを特徴とする、
請求項１ないし８のいずれか一項に記載の情報の伝送方法。
【請求項１０】
前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含むことを特徴とする、
請求項９に記載の情報の伝送方法。
【請求項１１】
前記第ｉグループのダウンリンクチャネル／信号に対応するアップリンク情報を伝送するための開始時間が前記アップリンクリソースの開始時間または前記第（ｉ−１）グループのダウンリンクチャネル／信号に対応するアップリンク情報を伝送するための終了時間より大きいと、前記情報の伝送方法は、
前記端末機器が、前記アップリンクリソースの開始時間と前記第ｉグループのダウンリンクチャネル／信号に対応するアップリンク情報を伝送するための開始時間との間で特定のアップリンクチャネル／信号を送信すること、または
前記端末機器が、前記第（ｉ−１）グループのダウンリンクチャネル／信号に対応するアップリンク情報を伝送するための終了時間と前記第ｉグループのダウンリンクチャネル／信号に対応するアップリンク情報を伝送するための開始時間との間で特定のアップリンクチャネル／信号を送信すること、をさらに含み、
前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含むことを特徴とする、
請求項１ないし１０のいずれか一項に記載の情報の伝送方法。
【請求項１２】
前記ＤＭＲＳが占めた周波数領域リソースは、前記第ｉグループのダウンリンクチャネル／信号に対応するアップリンク情報が占めた周波数領域リソースと同じであることを特徴とする、
請求項１１に記載の情報の伝送方法。
【請求項１３】
前記ｎグループのダウンリンクチャネル／信号内の１グループのダウンリンクチャネル／信号に対応するアップリンク情報は、同じアップリンクチャネルを介して伝送され、異なるグループのダウンリンクチャネル／信号に対応するアップリンク情報は、異なるアップリンクチャネルを使用して伝送されることを特徴とする、
請求項１ないし１２のいずれか一項に記載の情報の伝送方法。
【請求項１４】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報は、フィードバック応答情報であることを特徴とする、
請求項１ないし１３のいずれか一項に記載の情報の伝送方法。
【請求項１５】
前記第ｉグループのダウンリンク信号内のダウンリンク信号はチャネル状態情報参照信号（ＣＳＩ−ＲＳ）であり、前記第ｉグループのダウンリンク信号に対応するアップリンク情報は測定情報であることを特徴とする、
請求項１ないし１３のいずれか一項に記載の情報の伝送方法。
【請求項１６】
前記第ｉグループのダウンリンクチャネル／信号に対応するアップリンク情報の終了時間は、ネットワークによって構成されるか、プロトコルによって合意されることを特徴とする、
請求項１ないし１５のいずれか一項に記載の情報の伝送方法。
【請求項１７】
Ｇは、ネットワーク機器によって構成されるか、プロトコルによって合意され、Ｇ＝１６ｕｓであることを特徴とする、
請求項５ないし７のいずれか一項に記載の情報の伝送方法。
【請求項１８】
情報の伝送方法であって、
ネットワーク機器が、１つのチャネル占有時間（ＣＯＴ）内のダウンリンクリソースで端末機器にｎグループのダウンリンクチャネル／信号を送信することであって、前記ｎグループのダウンリンクチャネル／信号内の各グループのダウンリンクチャネル／信号は、少なくとも１つのダウンリンクチャネル／信号を含み、ｎは１より大きいか等しい正の整数であることと、
前記ネットワーク機器が前記ＣＯＴ内のアップリンクリソースで前記ｎグループのダウンリンクチャネル／信号内の第ｉグループのダウンリンクチャネル／信号に対応するアップリンク情報を受信することであって、ｉはｎより小さい正の整数であることと、を含み、
前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定されることを特徴とする、前記情報の伝送方法。
【請求項１９】
ｉは１より大きく、前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定されることを特徴とする、
請求項１８に記載の情報の伝送方法。
【請求項２０】
前記第ｉグループのダウンリンクチャネル／信号に対応するアップリンク情報を受信するための開始時間は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項１９に記載の情報の伝送方法。
【請求項２１】
前記情報の伝送方法は、
前記ネットワーク機器が、前記端末機器に構成情報を送信することをさらに含み、前記構成情報は、前記第ｉグループのダウンリンクチャネル／信号に対応するアップリンク情報を受信するための開始時間を指示するために使用され、前記構成情報によって指示される時間は、第１閾値より前ではなく、前記第１閾値は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項１９に記載の情報の伝送方法。
【請求項２２】
（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延であり、Ｇは前記ダウンリンクリソースと前記アップリンクリソースとの間隔であることを特徴とする、
請求項１８ないし２１のいずれか一項に記載の情報の伝送方法。
【請求項２３】
（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延に従って決定され、Ｇは前記ダウンリンクリソースと前記アップリンクリソースとの間隔であることを特徴とする、
請求項１８ないし２１のいずれか一項に記載の情報の伝送方法。
【請求項２４】
（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延であり、Ｇは前記ダウンリンクリソースと前記アップリンクリソースとの間隔であることを特徴とする、
請求項１８ないし２１のいずれか一項に記載の情報の伝送方法。
【請求項２５】
（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延に従って決定されることを特徴とする、
請求項１８ないし２１のいずれか一項に記載の情報の伝送方法。
【請求項２６】
前記ｎグループのダウンリンクチャネル／信号の終了時間がＴ１より小さいと、前記情報の伝送方法は、
前記ネットワーク機器が前記ｎグループのダウンリンクチャネル／信号の終了時間とＴ１との間で前記端末機器に特定のダウンリンクチャネル／信号／情報を送信することをさらに含み、
前記特定のダウンリンクチャネル／信号／情報は、対応するアップリンク情報がなく、または前記特定のダウンリンクチャネル／信号／情報は、共通チャネル／信号／情報であることを特徴とする、
請求項１８ないし２５のいずれか一項に記載の情報の伝送方法。
【請求項２７】
前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含むことを特徴とする、
請求項２６に記載の情報の伝送方法。
【請求項２８】
前記第ｉグループのダウンリンクチャネル／信号に対応するアップリンク情報を受信するための開始時間が前記アップリンクリソースの開始時間または前記第（ｉ−１）グループのダウンリンクチャネル／信号に対応するアップリンク情報を受信するための終了時間より大きいと、前記情報の伝送方法は、
前記ネットワーク機器が、前記アップリンクリソースの開始時間と前記第ｉグループのダウンリンクチャネル／信号に対応するアップリンク情報を伝送するための開始時間との間で特定のアップリンクチャネル／信号を受信すること、または
前記ネットワーク機器が、前記第（ｉ−１）グループのダウンリンクチャネル／信号に対応するアップリンク情報を受信するための終了時間と前記第ｉグループのダウンリンクチャネル／信号に対応するアップリンク情報を受信するための開始時間との間で特定のアップリンクチャネル／信号を受信すること、をさらに含み、
前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含むことを特徴とする、
請求項１８ないし２７のいずれか一項に記載の情報の伝送方法。
【請求項２９】
前記ＤＭＲＳが占めた周波数領域リソースは、前記第ｉグループのダウンリンクチャネル／信号に対応するアップリンク情報が占めた周波数領域リソースと同じであることを特徴とする、
請求項２８に記載の情報の伝送方法。
【請求項３０】
前記ｎグループのダウンリンクチャネル／信号内の１グループのダウンリンクチャネル／信号に対応するアップリンク情報は、同じアップリンクチャネルを介して伝送され、異なるグループのダウンリンクチャネル／信号に対応するアップリンク情報は、異なるアップリンクチャネルを使用して伝送されることを特徴とする、
請求項１８ないし２９のいずれか一項に記載の情報の伝送方法。
【請求項３１】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報はフィードバック応答情報であることを特徴とする、
請求項１８ないし３０のいずれか一項に記載の情報の伝送方法。
【請求項３２】
前記第ｉグループのダウンリンク信号内のダウンリンク信号はチャネル状態情報参照信号（ＣＳＩ−ＲＳ）であり、前記第ｉグループのダウンリンク信号に対応するアップリンク情報は測定情報であることを特徴とする、
請求項１８ないし３０のいずれか一項に記載の情報の伝送方法。
【請求項３３】
前記第ｉグループのダウンリンクチャネル／信号に対応するアップリンク情報の終了時間は、ネットワークによって構成されるか、プロトコルによって合意されることを特徴とする、
請求項１８ないし３２のいずれか一項に記載の情報の伝送方法。
【請求項３４】
Ｇは、ネットワーク機器によって構成されるか、プロトコルによって合意され、Ｇ＝１６ｕｓであることを特徴とする、
請求項２２ないし２４のいずれか一項に記載の情報の伝送方法。
【請求項３５】
端末機器であって、
１つのチャネル占有時間（ＣＯＴ）内のダウンリンクリソースでｎグループのダウンリンクチャネル／信号を受信し、および前記ＣＯＴ内のアップリンクリソースで前記ｎグループのダウンリンクチャネル／信号内の第ｉグループのダウンリンクチャネル／信号に対応するアップリンク情報を伝送するように構成される送受信ユニットを備え、前記ｎグループのダウンリンクチャネル／信号内の各グループのダウンリンクチャネル／信号は、少なくとも１つのダウンリンクチャネル／信号を含み、ｎは１より大きいか等しい正の整数であり、ｉはｎより小さい正の整数であり、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定されることを特徴とする、前記端末機器。
【請求項３６】
ｉは１より大きく、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定されることを特徴とする、
請求項３５に記載の端末機器。
【請求項３７】
前記第ｉグループのダウンリンクチャネル／信号に対応するアップリンク情報を伝送するための開始時間は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項３６に記載の端末機器。
【請求項３８】
前記送受信ユニットは、さらに、
ネットワーク機器の構成情報を受信するように構成され、前記構成情報は、前記第ｉグループのダウンリンクチャネル／信号に対応するアップリンク情報を伝送するための開始時間を指示するために使用され、前記構成情報によって指示される時間は、第１閾値より前ではなく、前記第１閾値は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項３６に記載の端末機器。
【請求項３９】
（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延であり、Ｇは前記ダウンリンクリソースと前記アップリンクリソースとの間隔であることを特徴とする、
請求項３５ないし３８のいずれか一項に記載の端末機器。
【請求項４０】
（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延に従って決定され、Ｇは前記ダウンリンクリソースと前記アップリンクリソースとの間隔であることを特徴とする、
請求項３５ないし３８のいずれか一項に記載の端末機器。
【請求項４１】
（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延であり、Ｇは前記ダウンリンクリソースと前記アップリンクリソースとの間隔であることを特徴とする、
請求項３５ないし３８のいずれか一項に記載の端末機器。
【請求項４２】
（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延に従って決定されることを特徴とする、
請求項３５ないし３８のいずれか一項に記載の端末機器。
【請求項４３】
前記ｎグループのダウンリンクチャネル／信号の終了時間がＴ１より小さいと、前記送受信ユニットは、さらに、
前記ｎグループのダウンリンクチャネル／信号の終了時間とＴ１との間で特定のダウンリンクチャネル／信号／情報を受信するように構成され、
前記特定のダウンリンクチャネル／信号／情報は、対応するアップリンク情報がなく、または前記特定のダウンリンクチャネル／信号／情報は、共通チャネル／信号／情報であることを特徴とする、
請求項３５ないし４２のいずれか一項に記載の端末機器。
【請求項４４】
前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含むことを特徴とする、
請求項４３に記載の端末機器。
【請求項４５】
前記第ｉグループのダウンリンクチャネル／信号に対応するアップリンク情報を伝送するための開始時間が前記アップリンクリソースの開始時間または前記第（ｉ−１）グループのダウンリンクチャネル／信号に対応するアップリンク情報を伝送するための終了時間より大きいと、前記送受信ユニットは、さらに、
前記アップリンクリソースの開始時間と前記第ｉグループのダウンリンクチャネル／信号に対応するアップリンク情報を伝送するための開始時間との間で特定のアップリンクチャネル／信号を送信するように構成され、または
前記第（ｉ−１）グループのダウンリンクチャネル／信号に対応するアップリンク情報を伝送するための終了時間と前記第ｉグループのダウンリンクチャネル／信号に対応するアップリンク情報を伝送するための開始時間との間で特定のアップリンクチャネル／信号を送信するように構成され、
前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含むことを特徴とする、
請求項３５ないし４４のいずれか一項に記載の端末機器。
【請求項４６】
前記ＤＭＲＳが占めた周波数領域リソースは、前記第ｉグループのダウンリンクチャネル／信号に対応するアップリンク情報が占めた周波数領域リソースと同じであることを特徴とする、
請求項４５に記載の端末機器。
【請求項４７】
前記ｎグループのダウンリンクチャネル／信号内の１グループのダウンリンクチャネル／信号に対応するアップリンク情報は、同じアップリンクチャネルを介して伝送され、異なるグループのダウンリンクチャネル／信号に対応するアップリンク情報は、異なるアップリンクチャネルを使用して伝送されることを特徴とする、
請求項３５ないし４６のいずれか一項に記載の端末機器。
【請求項４８】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報はフィードバック応答情報であることを特徴とする、
請求項３５ないし４７のいずれか一項に記載の端末機器。
【請求項４９】
前記第ｉグループのダウンリンク信号内のダウンリンク信号はチャネル状態情報参照信号（ＣＳＩ−ＲＳ）であり、前記第ｉグループのダウンリンク信号に対応するアップリンク情報は測定情報であることを特徴とする、
請求項３５ないし４７のいずれか一項に記載の端末機器。
【請求項５０】
前記第ｉグループのダウンリンクチャネル／信号に対応するアップリンク情報の終了時間は、ネットワークによって構成されるか、プロトコルによって合意されることを特徴とする、
請求項３５ないし４９のいずれか一項に記載の端末機器。
【請求項５１】
Ｇは、ネットワーク機器によって構成されるか、プロトコルによって合意され、Ｇ＝１６ｕｓであることを特徴とする、
請求項３９ないし４１のいずれか一項に記載の端末機器。
【請求項５２】
ネットワーク機器であって、
１つのチャネル占有時間（ＣＯＴ）内のダウンリンクリソースで端末機器にｎグループのダウンリンクチャネル／信号を送信し、および前記ＣＯＴ内のアップリンクリソースで前記ｎグループのダウンリンクチャネル／信号内の第ｉグループのダウンリンクチャネル／信号に対応するアップリンク情報を受信するように構成される送受信ユニットを備え、前記ｎグループのダウンリンクチャネル／信号内の各グループのダウンリンクチャネル／信号は、少なくとも１つのダウンリンクチャネル／信号を含み、ｎは１より大きいか等しい正の整数であり、ｉはｎより小さい正の整数であり、前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定されることを特徴とする、前記ネットワーク機器。
【請求項５３】
ｉは１より大きく、前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定されることを特徴とする、
請求項５２に記載のネットワーク機器。
【請求項５４】
前記第ｉグループのダウンリンクチャネル／信号に対応するアップリンク情報を受信するための開始時間は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項５３に記載のネットワーク機器。
【請求項５５】
前記送受信ユニットは、さらに、
前記端末機器に構成情報を送信するように構成され、前記構成情報は、前記第ｉグループのダウンリンクチャネル／信号に対応するアップリンク情報を受信するための開始時間を指示するために使用され、前記構成情報によって指示される時間は、第１閾値より前ではなく、前記第１閾値は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値であることを特徴とする、
請求項５３に記載のネットワーク機器。
【請求項５６】
（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延であり、Ｇは前記ダウンリンクリソースと前記アップリンクリソースとの間隔であることを特徴とする、
請求項５２ないし５５のいずれか一項に記載のネットワーク機器。
【請求項５７】
（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、Ａは前記処理遅延に従って決定され、Ｇは前記ダウンリンクリソースと前記アップリンクリソースとの間隔であることを特徴とする、
請求項５２ないし５５のいずれか一項に記載のネットワーク機器。
【請求項５８】
（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延であり、Ｇは前記ダウンリンクリソースと前記アップリンクリソースとの間隔であることを特徴とする、
請求項５２ないし５５のいずれか一項に記載のネットワーク機器。
【請求項５９】
（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、Ａは前記処理遅延に従って決定されることを特徴とする、
請求項５２ないし５５のいずれか一項に記載のネットワーク機器。
【請求項６０】
前記ｎグループのダウンリンクチャネル／信号の終了時間がＴ１より小さいと、前記送受信ユニットは、さらに、
前記ｎグループのダウンリンクチャネル／信号の終了時間とＴ１との間で前記端末機器に特定のダウンリンクチャネル／信号／情報を送信するように構成され、
前記特定のダウンリンクチャネル／信号／情報は、対応するアップリンク情報がなく、または前記特定のダウンリンクチャネル／信号／情報は、共通チャネル／信号／情報であることを特徴とする、
請求項５２ないし５９のいずれか一項に記載のネットワーク機器。
【請求項６１】
前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含むことを特徴とする、
請求項６０に記載のネットワーク機器。
【請求項６２】
前記第ｉグループのダウンリンクチャネル／信号に対応するアップリンク情報を受信するための開始時間が前記アップリンクリソースの開始時間または前記第（ｉ−１）グループのダウンリンクチャネル／信号に対応するアップリンク情報を受信するための終了時間より大きいと、前記送受信ユニットは、さらに、
前記アップリンクリソースの開始時間と前記第ｉグループのダウンリンクチャネル／信号に対応するアップリンク情報を伝送するための開始時間との間で特定のアップリンクチャネル／信号を受信するように構成され、または
前記第（ｉ−１）グループのダウンリンクチャネル／信号に対応するアップリンク情報を受信するための終了時間と前記第ｉグループのダウンリンクチャネル／信号に対応するアップリンク情報を受信するための開始時間との間で特定のアップリンクチャネル／信号を受信するように構成され、
前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含むことを特徴とする、
請求項５２ないし６１のいずれか一項に記載のネットワーク機器。
【請求項６３】
前記ＤＭＲＳが占めた周波数領域リソースは、前記第ｉグループのダウンリンクチャネル／信号に対応するアップリンク情報が占めた周波数領域リソースと同じであることを特徴とする、
請求項６２に記載のネットワーク機器。
【請求項６４】
前記ｎグループのダウンリンクチャネル／信号内の１グループのダウンリンクチャネル／信号に対応するアップリンク情報は、同じアップリンクチャネルを介して伝送され、異なるグループのダウンリンクチャネル／信号に対応するアップリンク情報は、異なるアップリンクチャネルを使用して伝送されることを特徴とする、
請求項５２ないし６３のいずれか一項に記載のネットワーク機器。
【請求項６５】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報はフィードバック応答情報であることを特徴とする、
請求項５２ないし６４のいずれか一項に記載のネットワーク機器。
【請求項６６】
前記第ｉグループのダウンリンク信号内のダウンリンク信号はチャネル状態情報参照信号（ＣＳＩ−ＲＳ）であり、前記第ｉグループのダウンリンク信号に対応するアップリンク情報は測定情報であることを特徴とする、
請求項５２ないし６４のいずれか一項に記載のネットワーク機器。
【請求項６７】
前記第ｉグループのダウンリンクチャネル／信号に対応するアップリンク情報の終了時間は、ネットワークによって構成されるか、プロトコルによって合意されることを特徴とする、
請求項５２ないし６６のいずれか一項に記載のネットワーク機器。
【請求項６８】
Ｇは、ネットワーク機器によって構成されるか、プロトコルによって合意され、Ｇ＝１６ｕｓであることを特徴とする、
請求項５６ないし５８のいずれか一項に記載のネットワーク機器。
【請求項６９】
プロセッサとメモリとを備える、端末機器であって、当該メモリは、コンピュータプログラムを記憶するように構成され、前記プロセッサは、前記メモリに記憶されたコンピュータプログラムを呼び出して実行して、請求項１ないし１７のいずれか一項に記載の情報の伝送方法を実行するように構成されることを特徴とする、前記端末機器。
【請求項７０】
プロセッサとメモリとを備える、ネットワーク機器であって、当該メモリは、コンピュータプログラムを記憶するように構成され、前記プロセッサは、前記メモリに記憶されたコンピュータプログラムを呼び出して実行して、請求項１８ないし３４のいずれか一項に記載の情報の伝送方法を実行するように構成されることを特徴とする、前記ネットワーク機器。
【請求項７１】
チップであって、前記チップが実装された機器に請求項１ないし１７のいずれか一項に記載の情報の伝送方法を実行させるように、メモリからコンピュータプログラムを呼び出して実行するように構成されるプロセッサを備えることを特徴とする、前記チップ。
【請求項７２】
チップであって、前記チップが実装された機器に請求項１８ないし３４のいずれか一項に記載の情報の伝送方法を実行させるように、メモリからコンピュータプログラムを呼び出して実行するように構成されるプロセッサを備えることを特徴とする、前記チップ。
【請求項７３】
コンピュータプログラムを記憶するように構成される、コンピュータ可読記憶媒体であって、前記コンピュータプログラムは、コンピュータに請求項１ないし１７のいずれか一項に記載の情報の伝送方法を実行させることを特徴とする、前記コンピュータ可読記憶媒体。
【請求項７４】
コンピュータプログラムを記憶するように構成される、コンピュータ可読記憶媒体であって、前記コンピュータプログラムは、コンピュータに請求項１８ないし３４のいずれか一項に記載の情報の伝送方法を実行させることを特徴とする、前記コンピュータ可読記憶媒体。
【請求項７５】
コンピュータプログラム命令を含む、コンピュータプログラム製品であって、当該コンピュータプログラム命令は、コンピュータに請求項１ないし１７のいずれか一項に記載の情報の伝送方法を実行させることを特徴とする、前記コンピュータプログラム命令。
【請求項７６】
コンピュータプログラム命令を含む、コンピュータプログラム製品であって、当該コンピュータプログラム命令は、コンピュータに請求項１８ないし３４のいずれか一項に記載の情報の伝送方法を実行させることを特徴とする、前記コンピュータプログラム命令。
【請求項７７】
コンピュータプログラムであって、コンピュータに請求項１ないし１７のいずれか一項に記載の情報の伝送方法を実行させることを特徴とする、前記コンピュータプログラム。
【請求項７８】
コンピュータプログラムであって、コンピュータに請求項１８ないし３４のいずれか一項に記載の情報の伝送方法を実行させることを特徴とする、前記コンピュータプログラム。
【発明の詳細な説明】
【技術分野】
【０００１】
本願実施例は、通信分野に関し、具体的には、情報の伝送方法、端末機器およびネットワーク機器に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、アップリンク情報の信頼性を保証するために、無認可スペクトルで伝送されるダウンリンクチャネル／信号に対応するアップリンク情報は、認可されたスペクトルで伝送される。
【０００３】
ニューラジオ（ＮＲ：Ｎｅｗ  Ｒａｄｉｏ）システムは独立した動作をサポートする必要があるため、無認可スペクトルでダウンリンクチャネル／信号に対応するアップリンク情報を伝送することをサポートする必要がある。
【発明の概要】
【発明が解決しようとする課題】
【０００４】
本願実施例は、情報の伝送方法、端末機器およびネットワーク機器を提供し、無認可スペクトルでのチャネル占有時間（ＣＯＴ：Ｃｈａｎｎｅｌ  Ｏｃｃｕｐａｔｉｏｎ  Ｔｉｍｅ）内でダウンリンクチャネル／信号に対応するアップリンク情報を伝送することを実現でき、且つ、ダウンリンクチャネル／信号に対応するアップリンク情報を信頼的に伝送することに有益である。
【課題を解決するための手段】
【０００５】
第１態様によれば、情報の伝送方法を提供し、当該方法は、端末機器が、１つのチャネル占有時間（ＣＯＴ）内のダウンリンクリソースでｎグループのダウンリンクチャネル／信号を受信することであって、当該ｎグループのダウンリンクチャネル／信号内の各グループのダウンリンクチャネル／信号は、少なくとも１つのダウンリンクチャネル／信号を含み、ｎは１より大きいか等しい正の整数であることと、当該端末機器が当該ＣＯＴ内のアップリンクリソースで当該ｎグループのダウンリンクチャネル／信号内の第ｉグループのダウンリンクチャネル／信号に対応するアップリンク情報を伝送することであって、ｉはｎより小さい正の整数であることと、を含み、ここで、当該第ｉグループのダウンリンクチャネル／信号に対応するアップリンク情報を伝送するための開始時間は、当該第ｉグループのダウンリンクチャネル／信号の終了時間Ｔ０、当該ダウンリンクリソースの終了時間Ｔ１およびダウンリンクチャネル／信号の処理遅延に従って決定される。
【０００６】
第２態様によれば、情報の伝送方法を提供し、当該方法は、ネットワーク機器が、１つのチャネル占有時間（ＣＯＴ）内のダウンリンクリソースで端末機器にｎグループのダウンリンクチャネル／信号を送信することであって、当該ｎグループのダウンリンクチャネル／信号内の各グループのダウンリンクチャネル／信号は、少なくとも１つのダウンリンクチャネル／信号を含み、ｎは１より大きいか等しい正の整数であることと、当該端末機器が当該ＣＯＴ内のアップリンクリソースで当該ｎグループのダウンリンクチャネル／信号内の第ｉグループのダウンリンクチャネル／信号に対応するアップリンク情報を伝送することであって、ｉはｎより小さい正の整数であることと、を含み、ここで、当該第ｉグループのダウンリンクチャネル／信号に対応するアップリンク情報を受信するための開始時間は、当該第ｉグループのダウンリンクチャネル／信号の終了時間Ｔ０、当該ダウンリンクリソースの終了時間Ｔ１およびダウンリンクチャネル／信号の処理遅延に従って決定される。
【０００７】
第３態様によれば、前記第１態様またはその各実施形態における方法を実行するように構成される、端末機器を提供する。
【０００８】
具体的に、当該端末機器は、前記第１態様またはその各実施形態における方法を実行するように構成される機能モジュールを備える。
【０００９】
第４態様によれば、上述した第２態様またはその各実施形態における方法を実行するように構成されるネットワーク機器を提供する。
【００１０】
具体的に、当該ネットワーク機器は、上述した第２態様またはその各実施形態における方法を実行するように構成される機能モジュールを備える。
【００１１】
第５態様によれば、プロセッサと、メモリとを備える端末機器を提供する。当該メモリは、コンピュータプログラムを記憶するように構成され、当該プロセッサは、当該メモリに記憶されたコンピュータプログラムを呼び出して実行して、上述した第１態様またはその各実施形態における方法を実行するように構成される。
【００１２】
第６態様によれば、プロセッサと、メモリとを備えるネットワーク機器を提供する。当該メモリは、コンピュータプログラムを記憶するように構成され、当該プロセッサは、当該メモリに記憶されたコンピュータプログラムを呼び出して実行することにより、前記第２態様またはその各実施形態における方法を実行するように構成される。
【００１３】
第７態様によれば、前記第１態様および第２態様のうちのいずれか１つの態様またはその各実施形態における方法を実行するように構成されるチップを提供する。
【００１４】
具体的には、当該チップは、メモリからコンピュータプログラムを呼び出して実行するように構成されるプロセッサを備え、当該チップが搭載された機器に、前記第１態様および第２態様のうちのいずれか１つの態様またはその各実施形態における方法を実行させる。
【００１５】
第８態様によれば、コンピュータプログラムを記憶するように構成されるコンピュータ可読記憶媒体を提供し、当該コンピュータプログラムは、コンピュータに、前記第１態様および第２態様のうちのいずれか１つの態様またはその各実施形態における方法を実行させるように構成される。
【００１６】
第９態様によれば、コンピュータプログラム命令を含むコンピュータプログラム製品を提供し、当該コンピュータプログラム命令は、コンピュータに、前記第１態様および第２態様のうちのいずれか１つの態様またはその各実施形態における方法を実行させるように構成される。
【００１７】
第１０態様によれば、コンピュータに前記第１態様および第２態様のうちのいずれか１つの態様またはその各実施形態における方法を実行させるように構成されるコンピュータプログラムを提供する。
【発明の効果】
【００１８】
上記の技術的解決策によって、ダウンリンクチャネル／信号に対応するアップリンク情報を同じＣＯＴ内のアップリンクリソースで伝送し、且つ、対応するダウンリンクチャネル／信号の終了時間、ダウンリンクリソースの終了時間およびダウンリンクチャネル／信号の処理遅延に従って、対応するアップリンク情報を伝送するための開始時間を決定し、それにより、ダウンリンクチャネル／信号に対応するアップリンク情報を信頼的に伝送することに有益である。
【図面の簡単な説明】
【００１９】
【図１】本願実施例による通信システムアーキテクチャの概略図である。
【図２】本願実施例による情報の伝送方法の概略図である。
【図３】本願実施例による対応するアップリンク情報を伝送するための開始時間を決定する概略図である。
【図４】本願実施例による対応するアップリンク情報を伝送するための開始時間を決定する別の概略図である。
【図５】本願実施例による対応するアップリンク情報を伝送するための開始時間を決定するさらに別の概略図である。
【図６】本願実施例による情報の伝送方法の別の概略図である。
【図７】本願実施例による端末機器の例示的なブロック図である。
【図８】本願実施例によるネットワーク機器の例示的なブロック図である。
【図９】本願実施例による端末機器の別の例示的なブロック図である。
【図１０】本願実施例によるネットワーク機器の別の例示的なブロック図である。
【図１１】本願実施例によるチップの例示的なブロック図である。
【図１２】本願実施例による通信システムの例示的なブロック図である。
【発明を実施するための形態】
【００２０】
以下、本願実施例における図面を参照しながら、本願実施例における技術的解決策を説明する。明らかに、説明される実施例は、本願実施例の一部であるが、全部ではない。本願実施例に基づいて、創造的な努力なしに当業者によって取得される他のすべての実施例は、本願の保護範囲に含まれるものとする。
【００２１】
本願実施例の技術案は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなど、様々な通信システムに適用されることができる。
【００２２】
例示的に、本願実施例に適用される通信システム１００は図１に示されたようである。当該通信システム１００は、ネットワーク機器１１０を備えることができ、ネットワーク機器１１０は、端末機器１２０（または通信端末、端末と称する）と通信する機器であってもよい。ネットワーク機器１１０は、特定の地理的エリアに通信カバレッジを提供することができ、当該カバレッジエリア内に位置する端末機器と通信することができる。例示的に、当該ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、または、当該ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２３】
当該通信システム１００は、ネットワーク機器１１０のカバレッジエリア内に位置する少なくとも１つの端末１２０をさらに備える。ここで使用される「端末機器」は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信デバイス、ユーザエージェント、またはユーザ装置を含むがこれに限定されない。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、ワイヤレス通信機能を備えたハンドヘルド機器、コンピューティング機器またはワイヤレスモデムに接続されたその他の処理機器、車載機器、ウェアラブル機器、未来５Ｇネットワークにおける端末機器または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）における端末機器などであることができ、本願実施例はこれらに限定されない。
【００２４】
例示的に、端末機器１２０間では、装置対装置（Ｄ２Ｄ：Ｄｅｖｉｃｅ  ｔｏ  Ｄｅｖｉｃｅ）通信を実行できる。
【００２５】
例示的に、５Ｇシステムまたは５Ｇネットワークは、ニューラジオ（ＮＲ：Ｎｅｗ  Ｒａｄｉｏ）システムまたはＮＲネットワークとも称し得る。
【００２６】
図１は、１つのネットワーク機器および２つの端末機器を例示的に示し、例示的に、当該通信システム１００は、複数のネットワーク機器を備えることができ、各ネットワーク機器のカバレッジエリアには、他の数の端末機器を含むことができるが、本願実施例はこれに限定されない。
【００２７】
例示的に、当該通信システム１００は、さらに、ネットワークコントローラ、モバイル管理エンティティなどの他のネットワークエンティティを備えることができるが、本願実施例はこれに限定されない。
【００２８】
本願実施例では、ネットワーク／システムにおける通信機能を備えた機器を通信機器と称し得ることを理解されたい。図１に示された通信システム１００を例とすると、通信機器は、通信機能を備えたネットワーク機器１１０および端末機器１２０を備えることができ、ネットワーク機器１１０および端末機器１２０は以上に記載の具体的な機器であってもよく、ここでは再び説明せず、通信機器は、さらに、通信システム１００における、ネットワークコントローラ、モバイル管理エンティティなどの他のネットワークエンティティなどの、他の機器を備えることができ、本願実施例はこれらに限定されない。
【００２９】
本明細書における「システム」および「ネットワーク」という用語は、本明細書で常に互換的に使用されることを理解されたい。本明細書における「および／または」という用語は、関連付けられるオブジェクトを説明する単なる関連付け関係であり、３つの関係が存在できることを示し、例えば、Ａおよび／またはＢは、Ａが独立で存在する場合、ＡとＢが同時に存在する場合、Ｂが独立で存在する場合という３つの場合を表す。さらに、本明細書における記号「／」は、一般的に、前後の関連付けられるオブジェクトが、「または」という関係であることを示す。
【００３０】
無認可スペクトルでは、通信機器（例えばネットワーク機器）は信号送信を実行する前に、無認可スペクトルにおけるチャネルに対してリッスンビフォアトーク（ＬＢＴ：  ｌｉｓｔｅｎ  ｂｅｆｏｒｅ  ｔａｌｋ）検出を実行する必要がある。ＬＢＴが成功した場合、通信機器は信号送信を実行でき、ＬＢＴが失敗した場合、通信機器は信号送信を実行できない。送信機器が信号を送信するときに不確実性があるため、受信機器は受信するとき、ブラインド検出を実行して、送信機器が信号の送信に成功したか否かを判断する必要がある。公平性を保証するために、一回の伝送では、通信機器が無認可スペクトルのチャネルを使用して信号を伝送する期間は、最大チャネル占有時間（ＭＣＯＴ：Ｍａｘｉｍｕｍ  Ｃｈａｎｎｅｌ  Ｏｃｃｕｐａｔｉｏｎ  Ｔｉｍｅ）を超えることができない。
【００３１】
ＬＴＥシステムにおいて、アップリンク情報の信頼性を保証するために、無認可スペクトルで伝送されるダウンリンクチャネル／信号に対応するアップリンク情報は、認可されたスペクトルで伝送される。
【００３２】
ＮＲシステムは、独立した動作をサポートする必要があるため、無認可スペクトルでダウンリンクチャネル／信号に対応するアップリンク情報を伝送することをサポートする必要がある。
【００３３】
図２は、本願実施例の情報の伝送方法２００の例示的なブロック図を示す。図２に示されたように、当該方法２００は以下のコンテンツの一部またはすべてを含む。
【００３４】
ステップＳ２１０において、端末機器が、１つのチャネル占有時間（ＣＯＴ）内のダウンリンクリソースでｎグループのダウンリンクチャネル／信号を受信し、当該ｎグループのダウンリンクチャネル／信号内の各グループのダウンリンクチャネル／信号は、少なくとも１つのダウンリンクチャネル／信号を含み、ｎは１より大きいか等しい正の整数である。
【００３５】
ステップＳ２２０において、当該端末機器が当該ＣＯＴ内のアップリンクリソースで当該ｎグループのダウンリンクチャネル／信号内の第ｉグループのダウンリンクチャネル／信号に対応するアップリンク情報を伝送し、ｉはｎより小さい正の整数である。
【００３６】
ここで、当該第ｉグループのダウンリンクチャネル／信号に対応するアップリンク情報を伝送するための開始時間は、当該第ｉグループのダウンリンクチャネル／信号の終了時間Ｔ０、当該ダウンリンクリソースの終了時間Ｔ１およびダウンリンクチャネル／信号の処理遅延に従って決定される。
【００３７】
まず、ダウンリンクチャネル／信号は、データを搬送する物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であり得、対応するアップリンク情報はフィードバック応答情報、即ち応答（ＡＣＫ：ａｃｋｎｏｗｌｅｄｇｅ）／非応答（ＮＡＣＫ：ｎｏｎ−ａｃｋｎｏｗｌｅｄｇｅ）情報であり得、ダウンリンクチャネル／信号は、チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）でもあり得、対応するアップリンク情報は、測定情報であり得ることに留意されたい。ＣＳＩ−ＲＳの目的は、端末機器にチャネル状態情報（ＣＳＩ：Ｃｈａｎｎｅｌ  Ｓｔａｔｅ  Ｉｎｆｏｒｍａｔｉｏｎ）を取得させ、それにより、ダウンリンクチャネルを測定し、測定情報をネットワーク機器にフィードバックすることである。例示的に、当該ダウンリンクチャネル／信号は、セル固有の参照信号（ＣＲＳ：Ｃｅｌｌ−ｓｐｅｃｉｆｉｃ  ｒｅｆｅｒｅｎｃｅ  ｓｉｇｎａｌｓ）でもあり得、ＣＲＳの目的も、端末機器にＣＳＩを取得させ、それにより、ダウンリンクチャネルを測定し、測定情報をネットワーク機器にフィードバックすることである。
【００３８】
さらに、ダウンリンクチャネル／信号のグループ化は、対応するアップリンク情報が同じチャネルで搬送されるか否かに基づいてもよく、他の要因に基づいてもよく、例えば、時間の優先順位に従って、２つのダウンリンクチャネル／信号ごとに１つのグループに分けてもよい。本願実施例はダウンリンクチャネル／信号のグループ化に対して限定しない。
【００３９】
本願実施例では、ｎグループのダウンリンクチャネル／信号は、時間の優先順位に基づくことができる。例えば、ｎグループのダウンリンクチャネル／信号では、最初のグループのダウンリンクチャネル／信号の終了時間は、第２グループのダウンリンクチャネル／信号より早く、第２グループのダウンリンクチャネル／信号の終了時間は、第３グループのダウンリンクチャネル／信号より早く、……、これによって類推する。本願実施例は、各グループのダウンリンクチャネル／信号の開始時間に対して限定しない。
【００４０】
本願実施例において、ｎグループのダウンリンクチャネル／信号は、対応するアップリンク情報伝送順序に基づくことができる。例えば、ｎグループのダウンリンクチャネル／信号では、最初のグループのダウンリンクチャネル／信号に対応するアップリンク情報の開始時間は、第２グループのダウンリンクチャネル／信号に対応するアップリンク情報より早く、第２グループのダウンリンクチャネル／信号に対応するアップリンク情報の開始時間は、第３グループのダウンリンクチャネル／信号に対応するアップリンク情報より早く、……、これによって類推する。
【００４１】
１つのＣＯＴでは、１つまたは複数のアップリンクおよびダウンリンク変換ポイントが存在でき、本願実施例に対して、ダウンリンクチャネル／または信号が配置されているダウンリンクリソースと、それに対応するアップリンクリソースが隣接していることに限定されないが、説明を容易にするために、以下の技術案ではダウンリンクリソースとアップリンクリソースが隣接していることを例とする。
【００４２】
本願実施例における端末機器は、ダウンリンクリソースでｎグループのダウンリンクチャネル／信号を受信でき、ｎは、当該ダウンリンクリソースで第（ｎ＋１）グループのダウンリンクチャネル／信号を送信すると、アップリンクリソースでは、第（ｎ＋１）グループのダウンリンクチャネル／信号に対応するアップリンク情報を送信するリソースはないと理解できる。または、ｎは、ネットワーク機器によって送信されたダウンリンクチャネル／信号の最大グループ値として理解でき、当該ｎグループのダウンリンクチャネル／信号に対応するアップリンク情報は、すべてアップリンクリソースで伝送できる。
【００４３】
第ｉグループのダウンリンクチャネル／信号に対応するアップリンク情報を伝送するための開始時間は、当該第ｉグループのダウンリンクチャネル／信号の終了時間Ｔ０、当該ダウンリンクリソースの終了時間Ｔ１およびダウンリンクチャネル／信号の処理遅延を組み合わせて決定することができる。例えば、当該ダウンリンクチャネル／信号は、ＰＤＳＣＨであり、対応するアップリンク情報は、ＡＣＫ／ＮＡＣＫ情報であり、当該ＡＣＫ／ＮＡＣＫ情報を伝送するための開始時間は、ＰＤＳＣＨの終了時間、ダウンリンクリソースの終了時間およびＰＤＳＣＨの処理遅延に基づくものである。さらに、例えば、当該ダウンリンクチャネル／信号は、ＣＳＩ−ＲＳであり、対応するアップリンク情報は測定情報であり、当該測定情報を伝送するための開始時間は、ＣＳＩ−ＲＳの終了時間、ダウンリンクリソースの終了時間およびＣＳＩの処理遅延に基づくものである。
【００４４】
ここで、ＰＤＳＣＨの処理遅延の値は、ＰＤＳＣＨ復号化遅延と、対応するアップリンク情報を搬送する物理チャネル（物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）または物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）など）、ＰＤＳＣＨの復調参照信号（ＤＭＲＳ：ｄｅｍｏｄｕｌａｔｉｏｎ  ｒｅｆｅｒｅｎｃｅ  ｓｉｇｎａｌ）の構造、ＰＤＳＣＨのリソースマッピング方式の要因の影響を受ける。ＣＳＩの処理遅延の値は、ＣＳＩ計算遅延、ＣＳＩタイプ（Ｔｙｐｅ  Ｉ  ＣＳＩ  ｆｅｅｄｂａｃｋ  ｏｒ  Ｔｙｐｅ  ＩＩ  ＣＳＩ  ｆｅｅｄｂａｃｋ）またはコンテンツ（チャネル品質インジケータ（ＣＱＩ：Ｃｈａｎｎｅｌ  Ｑｕａｌｉｔｙ  Ｉｎｄｉｃａｔｏｒ）のみ、ＣＱＩ＋ランクインジケータ（ＲＩ：Ｒａｎｋ  Ｉｎｄｉｃａｔｉｏｎ）＋プリコーディングマトリックスインジケータ（ＰＭＩ：Ｐｒｅｃｏｄｉｎｇ  Ｍａｔｒｉｘ  Ｉｎｄｉｃａｔｏｒ）、帯域幅ＣＳＩ、サブバンドＣＳＩなど）、ＣＳＩを計算するための参照信号構造、ＣＳＩを搬送する物理チャネル（ＰＵＣＣＨまたはＰＵＳＣＨ）の要因の影響を受ける。
【００４５】
例示的に、本願実施例において、第ｉグループのダウンリンクチャネル／信号が第ｎグループのダウンリンクチャネル／信号内の最初のグループのダウンリンクチャネル／信号であると、当該最初のグループのダウンリンクチャネル／信号に対応するアップリンク情報を伝送するための開始時間は、直接に最初のグループのダウンリンクチャネル／信号の終了時間、ダウンリンクリソースの終了時間およびダウンリンクチャネル／信号の処理遅延に従って決定される。第ｉグループのダウンリンクチャネル／信号が第ｎグループのダウンリンクチャネル／信号内の第２グループ、第３グループ……のダウンリンクチャネル／信号であると、当該第ｉグループのダウンリンクチャネル／信号に対応するアップリンク情報を伝送するための開始時間は、第ｉグループのダウンリンクチャネル／信号の終了時間、ダウンリンクリソースの終了時間およびダウンリンクチャネル／信号の処理遅延に関連するだけでなく、前のグループのダウンリンクチャネル／信号に対応するアップリンク情報を伝送するための終了時間に関連する。
【００４６】
例を挙げると、任意のグループのダウンリンクチャネル／信号に対して、当該グループのダウンリンクチャネル／信号の終了時間、ダウンリンクリソースの終了時間およびダウンリンクチャネル／信号の処理遅延に従って、１つの時間値を決定でき、最初のグループのダウンリンクチャネル／信号に対して、当該決定された時間値は、対応するアップリンク情報を伝送するための開始時間と見なすことができる。第２グループおよび後のダウンリンクチャネル／信号に対しては、当該決定された時間値と、前のグループのダウンリンクチャネル／信号に対応するアップリンク情報を伝送するための終了時間との間で、値が大きい方を、それに対応するアップリンク情報を伝送するための開始時間としえ決定する。
【００４７】
従って、本願実施例の情報の伝送方法は、ダウンリンクチャネル／信号に対応するアップリンク情報を同じＣＯＴ内のアップリンクリソースで伝送し、且つ、対応するダウンリンクチャネル／信号の終了時間、ダウンリンクリソースの終了時間およびダウンリンクチャネル／信号の処理遅延に従って、対応するアップリンク情報を伝送するための開始時間を決定し、それにより、ダウンリンクチャネル／信号に対応するアップリンク情報を信頼的に伝送することに有益である。
【００４８】
以下は、図３ないし図５を参照して、任意のグループのダウンリンクチャネル／信号の終了時間、ダウンリンクリソースの終了時間およびダウンリンクチャネル／信号の処理遅延に従って、１つの時間値を決定する方法を詳細に説明する。
【００４９】
図３に示されたように、１つのＣＯＴには、１つのダウンリンク（ＤＬ：Ｄｏｗｎｌｉｎｋ）リソースと１つのアップリンク（ＵＬ：Ｕｐｌｉｎｋ）を含み、ダウンリンクチャネル／信号（ここではＰＤＳＣＨを例とする）は、ＤＬで伝送され、それに対応するアップリンク情報（ここではＡＣＫ／ＮＡＣＫを例とする）は、ＵＬで伝送され、ダウンリンクリソースとアップリンクリソースとの間の間隔は、Ｇであり、端末機器はＴ０で１グループのＰＤＳＣＨを受信し、即ち、当該グループのＰＤＳＣＨの終了時間は、Ｔ０であり、ＰＤＳＣＨの処理遅延は、Ａであり、ダウンリンクリソースの終了時間は、Ｔ１であり、決定された時間値は、Ｔ２である。Ｔ０＋ＡがＴ１＋Ｇより小さいか等しいと、Ｔ２はアップリンクリソースの開始時間であり得、Ｔ１＋Ｇでもあり得、またはＴ１＋Ｇからの最初のシンボルの開始位置であり得る。または、図３内のＡは、ＰＤＳＣＨの処理遅延の基でＧを引いたものと見なすことができ、Ｔ０＋ＡがＴ１より小さいか等しいと、同様に、Ｔ２をＴ１＋Ｇと見なすことができる。最初のグループのＰＤＳＣＨであると、当該Ｔ２は、それに対応するＡＣＫ／ＮＡＣＫを伝送するための開始時間である。後の特定のグループのＰＤＳＣＨであると、Ｔ２と、前のグループのＰＤＳＣＨに対応するＡＣＫ／ＮＡＣＫを伝送するための終了時間とのうちの最大値は、当該グループのＰＤＳＣＨに対応するＡＣＫ／ＮＡＣＫを伝送するための開始時間と見なすことができる。
【００５０】
図４に示されたように、１つのＣＯＴには、１つのダウンリンク（ＤＬ：Ｄｏｗｎｌｉｎｋ）リソースと、１つのアップリンク（ＵＬ：Ｕｐｌｉｎｋ）を含み、ダウンリンクチャネル／信号（ここではＰＤＳＣＨを例とする）は、ＤＬで伝送され、それに対応するアップリンク情報（ここではＡＣＫ／ＮＡＣＫを例とする）は、ＵＬで伝送され、ダウンリンクリソースとアップリンクリソースとの間の間隔は、Ｇであり、端末機器はＴ０で１グループのＰＤＳＣＨを受信し、即ち、当該グループのＰＤＳＣＨの終了時間は、Ｔ０であり、ＰＤＳＣＨの処理遅延は、Ａであるが、ダウンリンクリソースの終了時間は、Ｔ１であり、決定された時間値は、Ｔ２である。Ｔ０＋ＡがＴ１＋Ｇより大きいと、Ｔ２は、Ｔ０＋Ａであり得、またはＴ０＋Ａからの最初のシンボルの開始位置であり得る。または、図４内のＡは、ＰＤＳＣＨの処理遅延の基でＧを引いたものと見なすことができ、Ｔ０＋ＡがＴ１より大きいと、同様に、Ｔ２をＴ０＋Ａと見なすことができる。最初のグループのＰＤＳＣＨであると、当該Ｔ２は、それに対応するＡＣＫ／ＮＡＣＫを伝送するための開始時間である。後の特定のグループのＰＤＳＣＨであると、Ｔ２と、前のグループのＰＤＳＣＨに対応するＡＣＫ／ＮＡＣＫを伝送するための終了時間とのうちの最大値は、当該グループのＰＤＳＣＨに対応するＡＣＫ／ＮＡＣＫを伝送するための開始時間と見なすことができる。
【００５１】
図５に示されたように、ダウンリンクリソースで２グループのダウンリンクチャネル／信号を受信することを例とする。最初のグループのＰＤＳＣＨの終了時間は、Ｔ０であり、第２グループのＰＤＳＣＨの終了時間は、Ｔ０’であり、ダウンリンクリソースの終了時間は、Ｔ１であり、Ｔ０＋ＡがＴ１＋Ｇより小さいため、Ｔ２は、最初のグループのＰＤＳＣＨに対応するＡＣＫ／ＮＡＣＫ情報を伝送するための開始時間と見なすことができるが、Ｔ０’＋ＡがＴ１＋Ｇより大きいため、Ｔ２’は、Ｔ０’＋Ａであり得、当該最初のグループのＰＤＳＣＨに対応するＡＣＫ／ＮＡＣＫ情報を伝送するための終了時間Ｔ３がＴ２’より大きいため、Ｔ３を第２ＰＤＳＣＨに対応するＡＣＫ／ＮＡＣＫ情報を伝送するための開始時間と見なすことができる。
【００５２】
本願実施例において、Ａはプロトコルによって合意され、またはネットワークによって構成されることができ、ダウンリンクチャネル／信号の処理遅延の基で、１つのオフセットを加算または減算することであり得、Ｇも、プロトコルによって合意され、またはネットワークによって構成されることができ、例えば、Ｇは、１６ｕｓより小さいか等しいであり得るため、対応するアップリンク情報を送信する前に、端末機器が、ＬＢＴを行う必要がない。他の通信機器がチャネルを占めているため、対応するアップリンク情報がアップロードできない状況を回避するのに有益であることに留意されたい。
【００５３】
端末機器によって決定された特定のグループのダウンリンク情報／信号に対応するアップリンク情報を伝送するための開始時間は、上記の判断方式に従って取得された１つの時間値であり得、当該時間値は、対応するアップリンク情報を伝送する最小値と見なすことができ、つまり、当該時間値を取得した後、当該時間値の後の任意の時間を、対応するアップリンク情報を伝送するための開始時間として使用できることを理解されたい。
【００５４】
各グループのダウンリンクチャネル／信号に対応するアップリンク情報の終了時間は、プロトコルによって合意でき、またはネットワークによって構成できることも理解されたい。または、特定のグループのダウンリンクチャネル／信号に対応するアップリンク情報を伝送するための時間の長さを合意または構成できる。
【００５５】
例示的に、本願実施例において、端末機器は、最初のグループのダウンリンクチャネル／信号の終了時間、ダウンリンクリソースの終了時間およびダウンリンクチャネル／信号の処理遅延に従って１つの時間値をそれ自体で決定でき、当該時間値より大きいか等しい任意の値を、それに対応するアップリンク情報を伝送するための開始時間として直接に使用できる。端末機器は、ネットワーク機器の構成を受信し、ネットワークによって構成された時間を、決定された時間値と比較して、当該時間値より小さいと、端末機器は、間違った構成と見なすことができ、端末機器自体で当該時間値より大きいか等しい任意の値を、それに対応するアップリンク情報を伝送するための開始時間として使用できる。当該時間値より大きいか等しいと、端末機器は、ネットワーク機器によって構成された時間を、それに対応するアップリンク情報を伝送するための開始時間として直接に使用できる。
【００５６】
例示的に、本願実施例において、端末機器は、最初のグループの後の任意のグループのダウンリンクチャネル／信号の終了時間、ダウンリンクリソースの終了時間およびダウンリンクチャネル／信号の処理遅延に従って１つの時間値を端末機器自体で決定し、当該時間値と、前のグループのダウンリンクチャネル／信号に対応するアップリンク情報を伝送するための終了時間とのうちの最大値を、それに対応するアップリンク情報を伝送するための開始時間の下限として使用できる。端末機器は、ネットワーク機器の構成を受信し、ネットワークによって構成された時間を、選択された最大値と比較して、当該最大値より小さいと、端末機器は、間違った構成と見なすことができ、端末機器自体で当該最大値より大きいか等しい任意の値を、それに対応するアップリンク情報を伝送するための開始時間として使用できる。当該最大値より大きいか等しいと、端末機器は、ネットワーク機器によって構成された時間を、それに対応するアップリンク情報を伝送するための開始時間として直接に使用できる。
【００５７】
例示的に、本願実施例において、当該ｎグループのダウンリンクチャネル／信号の終了時間がＴ１より小さいと、当該方法は、当該端末機器が、当該ｎグループのダウンリンクチャネル／信号の終了時間とＴ１との間で、特定のダウンリンクチャネル／信号／情報を受信することをさらに含み、ここで、当該特定のダウンリンクチャネル／信号／情報は、対応するアップリンク情報がなく、または当該特定のダウンリンクチャネル／信号／情報は、共通チャネル／信号／情報である。
【００５８】
本願実施例の特定のグループのダウンリンクチャネル／信号の終了時間は、当該グループのダウンリンクチャネル／信号内の合計終了時間を示すことを理解されたい。本願実施例のｎグループのダウンリンクチャネル／信号の終了時間は、同様に、当該ｎグループのダウンリンクチャネル／信号の合計終了時間を示す。以上は、ｎグループのダウンリンクチャネル／信号を解釈し、ここでは簡潔のために、再び説明しない。
【００５９】
端末機器は、ｎグループのダウンリンクチャネル／信号の後のダウンリンクリソースで、１つのタイプの特定のタイプのダウンリンクチャネル／信号／情報を受信できる。例えば、当該特定のダウンリンクチャネル／信号／情報は、対応するアップリンク情報を有しなくでもよく、または当該特定のダウンリンクチャネル／信号／情報は、ブロードキャストチャネル、同期信号、ＣＳＩ−ＲＳ、ダウンリンク制御チャネルおよび端末機器グループの共通シグナリング（ＵＥ−ｇｒｏｕｐ  ｃｏｍｍｏｎ  ｓｉｇｎａｌｌｉｎｇ）などのうちの１つまたは複数でもよく、または将来表示される可能性のあるいくつかの情報でもよく、当該情報は、例えば、チャネルを介して搬送されないこともできる。
【００６０】
例示的に、本願実施例において、当該第ｉグループのダウンリンクチャネル／信号に対応するアップリンク情報を伝送するための開始時間が当該アップリンクリソースの開始時間または当該第（ｉ−１）グループのダウンリンクチャネル／信号に対応するアップリンク情報を伝送するための終了時間より大きいと、当該方法は、当該端末機器が、当該アップリンクリソースの開始時間と、当該第ｉグループのダウンリンクチャネル／信号に対応するアップリンク情報を伝送するための開始時間との間で特定のアップリンクチャネル／信号を送信すること、または当該端末機器が、当該第（ｉ−１）グループのダウンリンクチャネル／信号に対応するアップリンク情報を伝送するための終了時間と、当該第ｉグループのダウンリンクチャネル／信号に対応するアップリンク情報を伝送するための開始時間との間で特定のアップリンクチャネル／信号を送信すること、をさらに含み、ここで、当該特定のアップリンクチャネル／信号は、位置を占有するための情報、サウンディング参照信号（ＳＲＳ：Ｓｏｕｎｄｉｎｇ  Ｒｅｆｅｒｅｎｃｅ  Ｓｉｇｎａｌ）、物理アップリンク共有チャネル（ＰＵＳＣＨ）および復調参照信号（ＤＭＲＳ）のうちの少なくとも１つを含む。
【００６１】
具体的に、当該位置を占有するための情報は、任意の実際的な作用はなく、他の通信機器が当該期間中にチャネルを占めることを回避する。ＰＵＳＣＨは、事前にスケジューリングされたＰＵＳＣＨを示すことができ、ネットワーク機器は、当該ＣＯＴ内のダウンリンクリソースでスケジューリングシグナリングを送信し、当該ＰＵＳＣＨをスケジューリングできる。または、ネットワーク機器は、上位層シグナリング構成を介して当該ＰＵＳＣＨをスケジューリングできる。ＤＭＲＳにおいて、ＤＭＲＳを伝送する周波数領域リソースは、対応するアップリンク情報を伝送する周波数領域リソースと同じであり得る。端末機器に予めＤＭＲＳを伝送させ、対応するアップリンク情報を搬送するチャネルでは、ＤＭＲＳリソースを予約する必要なく、伝送効率を向上させることに有益である。
【００６２】
端末機器は、アップリンクリソースの開始時間ないし最初のグループのダウンリンクチャネル／信号に対応するアップリンク情報を伝送するための開始時間の間で上記の特定のアップリンクチャネル／信号／情報を伝送でき、端末機器は、各２グループのダウンリンクチャネル／信号に対応するアップリンク情報を伝送するための開始時間の間で上記の特定のアップリンクチャネル／信号／情報を伝送することもできる。
【００６３】
図６は、本願実施例による情報の伝送方法３００の例示的なブロック図である。図６に示されたように、当該方法３００は、以下のコンテンツの一部またはすべてを含む。
【００６４】
ステップＳ３１０において、ネットワーク機器が、１つのチャネル占有時間（ＣＯＴ）内のダウンリンクリソースで端末機器にｎグループのダウンリンクチャネル／信号を送信し、当該ｎグループのダウンリンクチャネル／信号内の各グループのダウンリンクチャネル／信号は、少なくとも１つのダウンリンクチャネル／信号を含み、ｎは、１より大きいか等しい正の整数である。
【００６５】
ステップＳ３２０において、当該ネットワーク機器が、当該ＣＯＴ内のアップリンクリソースで当該ｎグループのダウンリンクチャネル／信号内の第ｉグループのダウンリンクチャネル／信号に対応するアップリンク情報を受信し、ｉは、ｎより小さい正の整数である。
【００６６】
ここで、当該第ｉグループのダウンリンクチャネル／信号に対応するアップリンク情報を受信するための開始時間は、当該第ｉグループのダウンリンクチャネル／信号の終了時間Ｔ０、当該ダウンリンクリソースの終了時間Ｔ１およびダウンリンクチャネル／信号の処理遅延に従って決定される。
【００６７】
従って、本願実施例の情報の伝送方法は、ダウンリンクチャネル／信号に対応するアップリンク情報を同じＣＯＴ内のアップリンクリソースで伝送し、且つ、対応するダウンリンクチャネル／信号の終了時間、ダウンリンクリソースの終了時間およびダウンリンクチャネル／信号の処理遅延に従って、対応するアップリンク情報を伝送するための開始時間を決定し、それにより、ダウンリンクチャネル／信号に対応するアップリンク情報を信頼的に伝送することに有益である。
【００６８】
例示的に、本願実施例において、ｉは１より大きく、当該第ｉグループのダウンリンクチャネル／信号に対応するアップリンク情報を受信するための開始時間は、当該第ｉグループのダウンリンクチャネル／信号の終了時間Ｔ０、当該ダウンリンクリソースの終了時間Ｔ１、当該第（ｉ−１）グループのダウンリンクチャネル／信号に対応するアップリンク情報の終了時間および当該処理遅延に従って決定される。
【００６９】
例示的に、本願実施例において、当該第ｉグループのダウンリンクチャネル／信号に対応するアップリンク情報を受信するための開始時間は、当該第（ｉ−１）グループのダウンリンクチャネル／信号に対応するアップリンク情報を受信するための終了時間と、当該第ｉグループのダウンリンクチャネル／信号の終了時間Ｔ０、当該ダウンリンクリソースの終了時間Ｔ１および当該処理遅延に従って決定される時間のうちの最大値である。
【００７０】
例示的に、本願実施例において、当該方法は、当該ネットワーク機器が、当該端末機器に構成情報を送信することをさらに含み、当該構成情報は、当該第ｉグループのダウンリンクチャネル／信号に対応するアップリンク情報を受信するための開始時間を指示するために使用され、当該構成情報によって指示される時間は、第１閾値より前ではなく、当該第１閾値は、当該第（ｉ−１）グループのダウンリンクチャネル／信号に対応するアップリンク情報を受信するための終了時間と、当該第ｉグループのダウンリンクチャネル／信号の終了時間Ｔ０、当該ダウンリンクリソースの終了時間Ｔ１および当該処理遅延に従って決定される時間のうちの最大値である。
【００７１】
例示的に、本願実施例において、（Ｔ０＋Ａ）が（Ｔ１＋Ｇ）より小さいか等しいと、Ｔ０、Ｔ１および当該処理遅延に従って決定される時間は、（Ｔ１＋Ｇ）または（Ｔ１＋Ｇ）からの最初のシンボルの開始位置であり、ここで、Ａは当該処理遅延であり、Ｇは当該ダウンリンクリソースと当該アップリンクリソースとの間隔である。
【００７２】
例示的に、本願実施例において、（Ｔ０＋Ａ）がＴ１より小さいか等しいと、Ｔ０、Ｔ１および当該処理遅延に従って決定された時間は（Ｔ１＋Ｇ）または（Ｔ１＋Ｇ）からの最初のシンボルの開始位置であり、ここで、Ａは当該処理遅延に従って決定され、Ｇは当該ダウンリンクリソースと当該アップリンクリソースとの間隔である。
【００７３】
例示的に、本願実施例において、（Ｔ０＋Ａ）が（Ｔ１＋Ｇ）より大きいと、Ｔ０、Ｔ１および当該処理遅延に従って決定される時間は、（Ｔ０＋Ａ）または（Ｔ０＋Ａ）からの最初のシンボルの開始位置であり、ここで、Ａは当該処理遅延であり、Ｇは当該ダウンリンクリソースと当該アップリンクリソースとの間隔である。
【００７４】
例示的に、本願実施例において、（Ｔ０＋Ａ）がＴ１より大きいと、Ｔ０、Ｔ１および当該処理遅延に従って決定される時間は、（Ｔ０＋Ａ）または（Ｔ０＋Ａ）からの最初のシンボルの開始位置であり、ここで、Ａは当該処理遅延に従って決定される。
【００７５】
例示的に、本願実施例において、当該ｎグループのダウンリンクチャネル／信号の終了時間がＴ１より小さいと、当該方法は、当該ネットワーク機器が当該ｎグループのダウンリンクチャネル／信号の終了時間とＴ１との間で当該端末機器に特定のダウンリンクチャネル／信号／情報を送信することをさらに含み、ここで、当該特定のダウンリンクチャネル／信号／情報は、対応するアップリンク情報がなく、または当該特定のダウンリンクチャネル／信号／情報は、共通チャネル／信号／情報である。
【００７６】
例示的に、本願実施例において、当該共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含む。
【００７７】
例示的に、本願実施例において、当該第ｉグループのダウンリンクチャネル／信号に対応するアップリンク情報を受信するための開始時間が当該アップリンクリソースの開始時間または当該第（ｉ−１）グループのダウンリンクチャネル／信号に対応するアップリンク情報を受信するための終了時間より大きいと、当該方法は、当該ネットワーク機器が当該アップリンクリソースの開始時間と当該第ｉグループのダウンリンクチャネル／信号に対応するアップリンク情報を伝送するための開始時間との間で特定のアップリンクチャネル／信号を受信すること、または当該ネットワーク機器が当該第（ｉ−１）グループのダウンリンクチャネル／信号に対応するアップリンク情報を受信するための終了時間と当該第ｉグループのダウンリンクチャネル／信号に対応するアップリンク情報を受信するための開始時間との間で特定のアップリンクチャネル／信号を受信すること、をさらに含み、ここで、当該特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含む。
【００７８】
例示的に、本願実施例において、当該ＤＭＲＳが占めた周波数領域リソースは、当該第ｉグループのダウンリンクチャネル／信号に対応するアップリンク情報が占めた周波数領域リソースと同じである。
【００７９】
例示的に、本願実施例において、当該ｎグループのダウンリンクチャネル／信号内の同じグループのダウンリンクチャネル／信号に対応するアップリンク情報は同じアップリンクチャネルで伝送され、当該ｎグループのダウンリンクチャネル／信号内の異なるグループのダウンリンクチャネル／信号に対応するアップリンク情報は異なるアップリンクチャネルを使用して伝送される。
【００８０】
例示的に、本願実施例において、当該第ｉグループのダウンリンクチャネル内のダウンリンクチャネルは、物理ダウンリンク共有チャネル（ＰＤＳＣＨ）であり、当該第ｉグループのダウンリンクチャネルに対応するアップリンク情報はフィードバック応答情報である。
【００８１】
例示的に、本願実施例において、当該第ｉグループのダウンリンク信号内のダウンリンク信号は、チャネル状態情報参照信号（ＣＳＩ−ＲＳ）であり、当該第ｉグループのダウンリンク信号に対応するアップリンク情報は測定情報である。
【００８２】
例示的に、本願実施例において、当該第ｉグループのダウンリンクチャネル／信号に対応するアップリンク情報の終了時間は、ネットワークによって構成されるか、プロトコルによって合意される。
【００８３】
例示的に、本願実施例において、Ｇはネットワーク機器によって構成され、またはプロトコルによって合意され、Ｇ＝１６ｕｓである。
【００８４】
ネットワーク機器によって説明されたネットワーク機器と端末機器との間のインタラクションおよび関連特性、機能などは、端末機器の関連特性、機能に対応することを理解されたい。つまり、ネットワーク機器が端末機器にメッセージを送信すると、端末機器はネットワーク機器から、対応するメッセージを受信する。
【００８５】
本願の様々な実施例において、上記した各プロセスの番号の大きさは、実行する前後順番を意味せず、各プロセスの実行順番は、その機能と内部論理によって決定されるべきであり、本願実施例の実施プロセスに対してあらゆる制限を構成してはならないことも理解されたい。
【００８６】
以上には、本願実施例による情報の伝送方法を詳細に説明し、以下は、図７ないし図１０を参照して、本願実施例の情報の伝送装置を説明し、方法実施例で説明された技術的特徴は、以下の装置実施例に適用される。
【００８７】
図７は、本願実施例の端末機器４００の例示的なブロック図を示す。図７に示されたように、当該端末装置４００は、
１つのチャネル占有時間（ＣＯＴ）内のダウンリンクリソースでｎグループのダウンリンクチャネル／信号を受信し、および前記ＣＯＴ内のアップリンクリソースで前記ｎグループのダウンリンクチャネル／信号内の第ｉグループのダウンリンクチャネル／信号に対応するアップリンク情報を伝送するように構成される送受信ユニット４１０を備え、前記ｎグループのダウンリンクチャネル／信号内の各グループのダウンリンクチャネル／信号は、少なくとも１つのダウンリンクチャネル／信号を含み、ｎは１より大きいか等しい正の整数であり、ｉはｎより小さい正の整数であり、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定される。
【００８８】
例示的に、本願実施例において、ｉは１より大きく、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定される。
【００８９】
例示的に、本願実施例において、前記第ｉグループのダウンリンクチャネル／信号に対応するアップリンク情報を伝送するための開始時間は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値である。
【００９０】
例示的に、本願実施例において、前記送受信ユニットは、さらに、ネットワーク機器の構成情報を受信するように構成され、前記構成情報は、前記第ｉグループのダウンリンクチャネル／信号に対応するアップリンク情報を伝送するための開始時間を指示するために使用され、前記構成情報によって指示される時間は、第１閾値より小さくなく、前記第１閾値は、前記第（ｉ−１）グループのダウンリンクチャネル／信号に対応するアップリンク情報を伝送するための終了時間と、前記第ｉグループのダウンリンクチャネル／信号の終了時間Ｔ０、前記ダウンリンクリソースの終了時間Ｔ１および前記処理遅延に従って決定される時間のうちの最大値である。
【００９１】
例示的に、本願実施例において、（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、ここで、Ａは前記処理遅延であり、Ｇは前記ダウンリンクリソースと前記アップリンクリソースとの間隔である。
【００９２】
例示的に、本願実施例において、（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、ここで、Ａは前記処理遅延に従って決定され、Ｇは前記ダウンリンクリソースと前記アップリンクリソースとの間隔である。
【００９３】
例示的に、本願実施例において、（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、ここで、Ａは前記処理遅延であり、Ｇは前記ダウンリンクリソースと前記アップリンクリソースとの間隔である。
【００９４】
例示的に、本願実施例において、（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、ここで、Ａは前記処理遅延に従って決定される。
【００９５】
例示的に、本願実施例において、前記ｎグループのダウンリンクチャネル／信号の終了時間がＴ１より小さいと、前記送受信ユニットは、さらに、前記ｎグループのダウンリンクチャネル／信号の終了時間とＴ１との間で特定のダウンリンクチャネル／信号／情報を受信するように構成され、ここで、前記特定のダウンリンクチャネル／信号／情報は、対応するアップリンク情報がなく、または前記特定のダウンリンクチャネル／信号／情報は、共通チャネル／信号／情報である。
【００９６】
例示的に、本願実施例において、前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含む。
【００９７】
例示的に、本願実施例において、前記第ｉグループのダウンリンクチャネル／信号に対応するアップリンク情報を伝送するための開始時間が前記アップリンクリソースの開始時間または前記第（ｉ−１）グループのダウンリンクチャネル／信号に対応するアップリンク情報を伝送するための終了時間より大きいと、前記送受信ユニットは、さらに、前記アップリンクリソースの開始時間と前記第ｉグループのダウンリンクチャネル／信号に対応するアップリンク情報を伝送するための開始時間との間で特定のアップリンクチャネル／信号を送信するように構成され、または前記第（ｉ−１）グループのダウンリンクチャネル／信号に対応するアップリンク情報を伝送するための終了時間と前記第ｉグループのダウンリンクチャネル／信号に対応するアップリンク情報を伝送するための開始時間との間で特定のアップリンクチャネル／信号を送信するように構成され、ここで、前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含む。
【００９８】
例示的に、本願実施例において、前記ＤＭＲＳが占めた周波数領域リソースは、前記第ｉグループのダウンリンクチャネル／信号に対応するアップリンク情報が占めた周波数領域リソースと同じである。
【００９９】
例示的に、本願実施例において、前記ｎグループのダウンリンクチャネル／信号内の同じグループのダウンリンクチャネル／信号に対応するアップリンク情報は同じアップリンクチャネルで伝送され、前記ｎグループのダウンリンクチャネル／信号内の異なるグループのダウンリンクチャネル／信号に対応するアップリンク情報は異なるアップリンクチャネルを使用して伝送される。
【０１００】
例示的に、本願実施例において、前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報はフィードバック応答情報である。
【０１０１】
例示的に、本願実施例において、前記第ｉグループのダウンリンク信号内のダウンリンク信号はチャネル状態情報参照信号（ＣＳＩ−ＲＳ）であり、前記第ｉグループのダウンリンク信号に対応するアップリンク情報は測定情報である。
【０１０２】
例示的に、本願実施例において、前記第ｉグループのダウンリンクチャネル／信号に対応するアップリンク情報の終了時間は、ネットワークによって構成されるか、プロトコルによって合意される。
【０１０３】
例示的に、本願実施例において、Ｇはネットワーク機器によって構成され、またはプロトコルによって合意され、Ｇ＝１６ｕｓである。
【０１０４】
本願実施例の端末装置４００は、本願方法実施例における端末装置に対応されることができ、そして端末装置４００における各ユニットの前記操作および他の操作および／または機能は、それぞれ図２の方法の端末装置の対応するプロセスを実現するためであることを理解されたい。簡潔性のために、ここでは繰り返して説明しない。
【０１０５】
図８は、本願実施例のネットワーク機器５００の例示的なブロック図を示す。図８に示されたように、当該ネットワーク装置５００は、
１つのチャネル占有時間（ＣＯＴ）内のダウンリンクリソースで端末機器にｎグループのダウンリンクチャネル／信号を送信し、および前記ＣＯＴ内のアップリンクリソースで前記ｎグループのダウンリンクチャネル／信号内の第ｉグループのダウンリンクチャネル／信号に対応するアップリンク情報を受信するように構成される送受信ユニット５１０を備え、前記ｎグループのダウンリンクチャネル／信号内の各グループのダウンリンクチャネル／信号は、少なくとも１つのダウンリンクチャネル／信号を含み、ｎは１より大きいか等しい正の整数であり、ｉはｎより小さい正の整数であり、前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１およびダウンリンクチャネル／信号の処理遅延に従って決定される。
【０１０６】
例示的に、本願実施例において、ｉは１より大きく、前記第ｉグループのダウンリンクチャネル／信号に対応するアップリンク情報を受信するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定される。
【０１０７】
例示的に、本願実施例において、前記第ｉグループのダウンリンクチャネル／信号に対応するアップリンク情報を受信するための開始時間は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値である。
【０１０８】
例示的に、本願実施例において、前記送受信ユニットは、さらに、端末機器に構成情報を送信するように構成され、前記構成情報は、前記第ｉグループのダウンリンクチャネル／信号に対応するアップリンク情報を受信するための開始時間を指示するために使用され、前記構成情報によって指示される時間は、第１閾値より小さくなく、前記第１閾値は、前記第（ｉ−１）グループのダウンリンクチャネル／信号に対応するアップリンク情報を受信するための終了時間と、前記第ｉグループのダウンリンクチャネル／信号の終了時間Ｔ０、前記ダウンリンクリソースの終了時間Ｔ１および前記処理遅延に従って決定される時間のうちの最大値である。
【０１０９】
例示的に、本願実施例において、（Ｔ０＋Ａ）が（Ｔ１＋Ｇ）より小さいか等しいと、Ｔ０、Ｔ１および前記処理遅延に従って決定される時間は、（Ｔ１＋Ｇ）または（Ｔ１＋Ｇ）からの最初のシンボルの開始位置であり、ここで、Ａは前記処理遅延であり、Ｇは前記ダウンリンクリソースと前記アップリンクリソースとの間隔である。
【０１１０】
例示的に、本願実施例において、（Ｔ０＋Ａ）がＴ１より小さいか等しいと、Ｔ０、Ｔ１および前記処理遅延に従って決定される時間は、（Ｔ１＋Ｇ）または（Ｔ１＋Ｇ）からの最初のシンボルの開始位置であり、ここで、Ａは前記処理遅延に従って決定され、Ｇは前記ダウンリンクリソースと前記アップリンクリソースとの間隔である。
【０１１１】
例示的に、本願実施例において、（Ｔ０＋Ａ）が（Ｔ１＋Ｇ）より大きいと、Ｔ０、Ｔ１および前記処理遅延に従って決定される時間は、（Ｔ０＋Ａ）または（Ｔ０＋Ａ）からの最初のシンボルの開始位置であり、ここで、Ａは前記処理遅延であり、Ｇは前記ダウンリンクリソースと前記アップリンクリソースとの間隔である。
【０１１２】
例示的に、本願実施例において、（Ｔ０＋Ａ）がＴ１より大きいと、Ｔ０、Ｔ１および前記処理遅延に従って決定される時間は、（Ｔ０＋Ａ）または（Ｔ０＋Ａ）からの最初のシンボルの開始位置であり、ここで、Ａは前記処理遅延に従って決定される。
【０１１３】
例示的に、本願実施例において、前記ｎグループのダウンリンクチャネル／信号の終了時間がＴ１より小さいと、前記送受信ユニットは、さらに、前記ｎグループのダウンリンクチャネル／信号の終了時間とＴ１との間で前記端末機器に特定のダウンリンクチャネル／信号／情報を送信するように構成され、ここで、前記特定のダウンリンクチャネル／信号／情報は、対応するアップリンク情報がなく、または前記特定のダウンリンクチャネル／信号／情報は、共通チャネル／信号／情報である。
【０１１４】
例示的に、本願実施例において、前記共通チャネル／信号／情報は、ブロードキャストチャネル、同期信号、チャネル状態情報参照信号（ＣＳＩ−ＲＳ）、ダウンリンク制御チャネルまたは端末機器グループの共通シグナリングを含む。
【０１１５】
例示的に、本願実施例において、前記第ｉグループのダウンリンクチャネル／信号に対応するアップリンク情報を受信するための開始時間が前記アップリンクリソースの開始時間または前記第（ｉ−１）グループのダウンリンクチャネル／信号に対応するアップリンク情報を受信するための終了時間より大きいと、前記送受信ユニットは、さらに、前記アップリンクリソースの開始時間と前記第ｉグループのダウンリンクチャネル／信号に対応するアップリンク情報を受信するための開始時間との間で特定のアップリンクチャネル／信号を送信するように構成され、または前記第（ｉ−１）グループのダウンリンクチャネル／信号に対応するアップリンク情報を受信するための終了時間と前記第ｉグループのダウンリンクチャネル／信号に対応するアップリンク情報を受信するための開始時間との間で特定のアップリンクチャネル／信号を送信するように構成され、ここで、前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含む。
【０１１６】
例示的に、本願実施例において、前記ＤＭＲＳが占めた周波数領域リソースは、前記第ｉグループのダウンリンクチャネル／信号に対応するアップリンク情報が占めた周波数領域リソースと同じである。
【０１１７】
例示的に、本願実施例において、前記ｎグループのダウンリンクチャネル／信号内の同じグループのダウンリンクチャネル／信号に対応するアップリンク情報は同じアップリンクチャネルで伝送され、前記ｎグループのダウンリンクチャネル／信号内の異なるグループのダウンリンクチャネル／信号に対応するアップリンク情報は異なるアップリンクチャネルを使用して伝送される。
【０１１８】
例示的に、本願実施例において、前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報は、フィードバック応答情報である。
【０１１９】
例示的に、本願実施例において、前記第ｉグループのダウンリンク信号内のダウンリンク信号はチャネル状態情報参照信号（ＣＳＩ−ＲＳ）であり、前記第ｉグループのダウンリンク信号に対応するアップリンク情報は、測定情報である。
【０１２０】
例示的に、本願実施例において、前記第ｉグループのダウンリンクチャネル／信号に対応するアップリンク情報の終了時間は、ネットワークによって構成されるか、プロトコルによって合意される。
【０１２１】
例示的に、本願実施例において、Ｇはネットワーク機器によって構成され、またはプロトコルによって合意され、Ｇ＝１６ｕｓであることを特徴とする。
【０１２２】
本願実施例のネットワーク装置５００は、本願方法実施例におけるネットワーク装置に対応されることができ、さらに、ネットワーク装置５００における各ユニットの前記操作および他の操作および／または機能は、それぞれ図６の方法のネットワーク装置の対応するプロセスを実現するためであることを理解されたい。簡潔性のために、ここでは繰り返して説明しない。
【０１２３】
図９に示されたように、本願実施例は、端末機器６００をさらに提供し、当該端末機器６００は、図７における端末機器４００であり得、前記機器は、図２の方法２００に対応する端末機器のコンテンツを実行するように構成されることができる。図９に示される端末機器６００は、プロセッサ６１０を備え、本願実施例における方法を実現するために、プロセッサ６１０は、メモリからコンピュータプログラムを呼び出して実行する。
【０１２４】
例示的に、図９に示されたように、端末機器６００は、さらに、メモリ６２０を備えることができる。ここで、本願実施例における方法を実現するために、プロセッサ６１０は、メモリ６２０からコンピュータプログラムを呼び出して実行する。
【０１２５】
ここで、メモリ６２０は、プロセッサ６１０から独立した別個のデバイスであってもよく、プロセッサ６１０に統合されてもよい。
【０１２６】
例示的に、図９に示されたように、端末機器６００は、さらに、トランシーバ６３０を備えることができ、プロセッサ６１０は、他の機器と通信するように当該トランシーバ６３０を制御することができ、具体的には、他の機器に情報またはデータを送信し、または他の機器によって送信される情報またはデータを受信することができる。
【０１２７】
ここで、トランシーバ６３０は、送信機および受信機を備えることができる。トランシーバ６３０は、アンテナをさらに備えることもでき、アンテナの数は、１つまたは複数であり得る。
【０１２８】
例示的に、当該端末機器６００は本願実施例の端末機器であり、且つ、当該端末機器６００は、本願実施例の各方法における端末機器によって実現される対応するプロセスを実現でき、簡潔のために、ここでは繰り返して説明しない。
【０１２９】
１つの具体的な実施形態において、端末機器６００内の送受信ユニットは図９のトランシーバ６３０によって実現できる。
【０１３０】
図１０に示されたように、本願実施例は、ネットワーク機器７００をさらに提供し、当該ネットワーク機器７００は、図８におけるネットワーク機器５００であり得、前記機器は、図６の方法３００に対応するネットワーク機器のコンテンツを実行するように構成されることができる。図１０に示されるネットワーク機器７００は、プロセッサ７１０を備え、本願実施例における方法を実現するために、プロセッサ７１０は、メモリからコンピュータプログラムを呼び出して実行する。
【０１３１】
例示的に、図１０に示されたように、ネットワーク機器７００は、さらに、メモリ７２０を備えることができる。ここで、プロセッサ７１０は、メモリ７２０からコンピュータプログラムを呼び出して実行することにより、本願実施例における方法を実現することができる。
【０１３２】
ここで、メモリ７２０は、プロセッサ７１０から独立した別個のデバイスであってもよく、プロセッサ７１０に統合されてもよい。
【０１３３】
例示的に、図１０に示されたように、ネットワーク機器７００は、さらに、トランシーバ７３０を備えることができ、プロセッサ７１０は、他の機器と通信するように当該トランシーバ７３０を制御することができ、具体的には、他の機器に情報またはデータを送信し、または他の機器によって送信される情報またはデータを受信することができる。
【０１３４】
ここで、トランシーバ７３０は、送信機および受信機を備えることができる。トランシーバ７３０は、アンテナをさらに備えることもでき、アンテナの数は、１つまたは複数であり得る。
【０１３５】
例示的に、当該ネットワーク機器７００は、本願実施例におけるネットワーク機器であり得、当該ネットワーク機器７００は、本願実施例の各方法における、ネットワーク機器によって実現される対応するプロセスを実現することができ、簡潔のために、ここでは繰り返して説明しない。
【０１３６】
１つの具体的な実施形態において、ネットワーク機器７００内の処理ユニットは、図１０のプロセッサ７１０によって実現できる。ネットワーク機器７００内の送受信ユニットは図１０のトランシーバ７３０によって実現できる。
【０１３７】
図１１は、本願実施例によるチップの例示的な構造図である。図１１に示されたチップ８００は、プロセッサ８１０を備え、プロセッサ８１０は、メモリからコンピュータプログラムを呼び出して実行して、本願実施例における方法を実現することができる。
【０１３８】
例示的に、図１１に示されたように、チップ８００は、さらに、メモリ８２０を備えることができる。ここで、プロセッサ８１０は、メモリ８２０からコンピュータプログラムを呼び出して実行することにより、本願実施例における方法を実現することができる。
【０１３９】
ここで、メモリ８２０は、プロセッサ８１０から独立した別個のデバイスであってもよく、プロセッサ８１０に統合されてもよい。
【０１４０】
例示的に、当該チップ８００は、入力インターフェース８３０をさらに備えることができる。ここで、プロセッサ８１０は、当該入力インターフェース８３０が、他の機器またはチップと通信するように制御することができ、具体的には、他の機器またはチップによって送信される情報、またはデータを取得することができる。
【０１４１】
例示的に、当該チップ８００は、出力インターフェース８４０をさらに備えることができる。ここで、プロセッサ８１０は、当該出力インターフェース８４０が、他の機器またはチップと通信するように制御することができ、具体的には、他の機器またはチップに、情報またはデータを出力することができる。
【０１４２】
例示的に、当該チップは、本願実施例のネットワーク機器に適用されることができ、当該チップは、本願実施例の各方法における、ネットワーク機器によって実現される対応するプロセスを実現することができ、簡潔のために、ここでは繰り返して説明しない。
【０１４３】
例示的に、当該チップは、本願実施例の端末機器に適用されることができ、当該チップは、本願実施例の各方法における、端末機器によって実現される対応するプロセスを実現することができ、簡潔のために、ここでは繰り返して説明しない。
【０１４４】
本願実施例で言及されたチップは、システムレベルのチップ、システムチップ、チップシステム、またはシステムオンチップと呼ばれることもとできることを理解されたい。
【０１４５】
図１２は、本願実施例による通信システム９００の例示的なブロック図である。図１２に示されたように、当該通信システム９００は、端末機器９１０、およびネットワーク機器９２０を備える。
【０１４６】
ここで、当該端末機器９１０は、上記の方法における、端末機器によって実現される対応する機能を実現するように構成されることができ、当該ネットワーク機器９２０は、上記の方法における、ネットワーク機器によって実現される対応する機能を実現するように構成されることができ、簡潔のために、ここでは繰り返して説明しない。
【０１４７】
本願実施例におけるプロセッサは、信号の処理能力を有する集積回路チップであり得ることを理解されたい。実現プロセスにおいて、上記の方法の実施例における各ステップは、プロセッサ内のハードウェアの集積論理回路、またはソフトウェアの形の命令を介して、完了することができる。上記のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、または他のプログラマブルロジックデバイス、ディスクリートゲート、またはトランジスタロジックデバイス、ディスクリートハードウェアコンポーネントなどであってもよく、本開示の実施例で開示される各方法、ステップおよび論理ブロック図を実現または実行することができる。汎用プロセッサは、マイクロプロセッサであり得、または当該プロセッサは、任意の従来のプロセッサなどであり得る。本願実施例で開示される方法のステップは、ハードウェア復号化プロセッサによって直接実行されてもよいし、復号化プロセッサ内のハードウェアとソフトウェアモジュールの組み合わせによって実行されてもよい。ソフトウェアモジュールは、ランダムアクセスメモリ、フラッシュメモリ、読み取り専用メモリ、プログラマブル読み取り専用メモリ、または電気的に消去可能なプログラマブルメモリ、レジスタなどの従来の記憶媒体に配置されることができる。当該記憶媒体は、メモリに配置され、プロセッサは、メモリ内の情報を読み取り、そのハードウェアと組み合わせて上記方法のステップを完了する。
【０１４８】
本願実施例におけるメモリは、揮発性メモリまたは不揮発性メモリであり得、または揮発性および不揮発性メモリの両方を含み得ることを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラマブル読み取り専用メモリ（ＥＰＲＯＭ：Ｅｒａｓａｂｌｅ  ＰＲＯＭ）、電気的に消去可能なプログラマブル読み取り専用メモリ（ＥＥＰＲＯＭ：Ｅｌｅｃｔｒｉｃａｌｌｙ  ＥＰＲＯＭ）、またはフラッシュメモリであり得る。揮発性メモリは、外部キャッシュとして使用される、ランダムアクセスメモリ（ＲＡＭ：Ｒａｎｄｏｍ  Ａｃｃｅｓｓ  Ｍｅｍｏｒｙ）であり得る。例示的であるが限定的ではない例示によれば、多くの形のＲＡＭ、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）、およびダイレクトメモリバスランダムアクセスメモリ（ＤＲ  ＲＡＭ：Ｄｉｒｅｃｔ  Ｒａｍｂｕｓ  ＲＡＭ）などが利用可能である。本明細書で説明されるシステムおよび方法のためのメモリは、これらおよび任意の他の適切なタイプのメモリを含むが、これらに限定されないことを意図することを留意されたい。
【０１４９】
前記メモリは、例示的であるが、限定的なものではないことを理解されたい。例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）、およびダイレクトメモリバスランダムアクセスメモリ（ＤＲ  ＲＡＭ：Ｄｉｒｅｃｔ  Ｒａｍｂｕｓ  ＲＡＭ）などであってもよい。つまり、本願実施例におけるメモリは、これらおよび任意の他の適切なタイプのメモリを含むが、これらに限定されないことを意図する。
【０１５０】
本願実施例は、さらに、コンピュータプログラムを記憶するように構成されるコンピュータ可読記憶媒体を提供する。
【０１５１】
例示的に、当該コンピュータ可読記憶媒体は、本願実施例におけるネットワーク機器に適用されてもよく、当該コンピュータプログラムは、コンピュータに、本願実施例の各方法における、ネットワーク機器によって実現される対応するプロセスを実行させるように構成され、簡潔のために、ここでは繰り返して説明しない。
【０１５２】
例示的に、当該コンピュータ可読記憶媒体は、本願実施例における端末機器に適用されてもよく、当該コンピュータプログラムは、コンピュータに、本願実施例の各方法における、モバイル端末／端末機器によって実現される対応するプロセスを実行させるように構成され、簡潔のために、ここでは繰り返して説明しない。
【０１５３】
本願実施例は、さらに、コンピュータプログラム命令を含むコンピュータプログラム製品を提供する。
【０１５４】
例示的に、当該コンピュータプログラム製品は、本願実施例におけるネットワーク機器に適用されてもよく、当該コンピュータプログラム命令は、コンピュータに、本願実施例の各方法における、ネットワーク機器によって実現される対応するプロセスを実行させるように構成され、簡潔のために、ここでは繰り返して説明しない。
【０１５５】
例示的に、当該コンピュータプログラム製品は、本願実施例における端末機器に適用されてもよく、当該コンピュータプログラム命令は、コンピュータに、本願実施例の各方法における、モバイル端末／端末機器によって実現される対応するプロセスを実行させるように構成され、簡潔のために、ここでは繰り返して説明しない。
【０１５６】
本願実施例は、さらに、コンピュータプログラムを提供する。
【０１５７】
例示的に、当該コンピュータプログラムは、本願実施例における、ネットワーク機器に適用され得、当該コンピュータプログラムが、コンピュータで実行されるときに、コンピュータが、本願実施例の各方法における、ネットワーク機器によって実現される、対応するプロセスを実行するようにし、簡潔のために、ここでは再び説明しない。
【０１５８】
例示的に、当該コンピュータプログラムは、本願実施例における端末機器に適用されてもよく、当該コンピュータプログラムが、コンピュータで実行されるときに、コンピュータに、本願実施例の各方法における、端末機器によって実現される対応するプロセスを実行させ、簡潔のために、ここでは繰り返して説明しない。
【０１５９】
当業者なら自明であるが、本明細書で開示される実施例を参照して説明された各例のユニットおよびアルゴリズムステップは、電子ハードウェア、またはコンピュータソフトウェアと電子ハードウェアの組み合わせによって実現できる。これらの機能がハードウェアの形で実行されるか、ソフトウェアの形で実行されるかは、技術的解決策の特定の用途および設計上の制約条件によって決定される。専門技術者は、各特定の用途に応じて異なる方法を使用して、説明された機能を実現してもよいが、このような実現は、本願の保護範囲を超えると見なされるべきではない。
【０１６０】
当業者なら理解できるが、説明の便宜および簡潔のために、上記に説明されるシステム、装置およびユニットの具体的な作業プロセスは、上記の方法の実施例における対応するプロセスを参照することができ、ここでは繰り返して説明しない。
【０１６１】
本願によるいくつかの実施例において、開示されたシステム、装置および方法は、他の方法で実現できることを理解されたい。例えば、上記で説明された装置の実施例は、例示的なものに過ぎず、例えば、前記ユニットの分割は、論理機能の分割に過ぎず、実際の実現時には別の分割方法があり、例えば、複数のユニットまたはコンポーネントを別のシステムに統合または集積してもよく、一部の特徴を無視するか実行しなくてもよい。なお、表示または議論される相互結合、または直接結合、または通信接続は、いくつかのインターフェースを使用して実現することができ、装置またはユニット間の間接結合または通信接続は、電気的または機械的な形であってもよく、他の形であってもよい。
【０１６２】
前記分離部品として説明されるユニットは、物理的に分離されていてもされなくてもよく、ユニットとして表示される部品は、物理的ユニットであってもなくてもよい。つまり、１箇所に配置されてもよく、複数のネットワークユニットに分散されてもよい。実際のニーズに従って、その中の一部または全部のユニットを選択して、本実施例の技術案の目的を実現することができる。
【０１６３】
さらに、本願の各実施例における各機能ユニットは、１つの処理ユニットに統合されてもよく、または各ユニットが、物理的に別々に存在してもよく、または２つまたは２つ以上のユニットが１つのユニットに統合されてもよい。
【０１６４】
前記機能が、ソフトウェア機能ユニットの形で実現され、かつ独立した製品として販売または使用される場合、コンピュータ可読記憶媒体に記憶されることができる。このような理解に基づいて、本願の技術的解決策の本質的な部分、または先行技術に寄与する部分、または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に、本願の各実施例に記載の方法のステップの全部または一部を実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０１６５】
上記のコンテンツは、本願の具体的な実施形態に過ぎず、本願の保護範囲はこれに限定されない。当業者は、本願に開示される技術的範囲内で容易に考えられ得る変更または置換は、すべて本願の保護範囲に含まれるべきである。従って、本願の保護範囲は、特許請求の範囲の保護範囲に従うべきである。
【図１】
2022500892.tif 000003
【図２】
2022500892.tif 000004
【図３】
2022500892.tif 000005
【図４】
2022500892.tif 000006
【図５】
2022500892.tif 000007
【図６】
2022500892.tif 000008
【図７】
2022500892.tif 000009
【図８】
2022500892.tif 000010
【図９】
2022500892.tif 000011
【図１０】
2022500892.tif 000012
【図１１】
2022500892.tif 000013
【図１２】
2022500892.tif 000014
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
情報の伝送方法であって、
端末機器が、１つのチャネル占有時間（ＣＯＴ）内のダウンリンクリソースでｎグループのダウンリンクチャネル／信号を受信することであって、前記ｎグループのダウンリンクチャネル／信号内の各グループのダウンリンクチャネル／信号は、少なくとも１つのダウンリンクチャネル／信号を含み、ｎは１より大きいか等しい正の整数であることと、
前記端末機器が、前記ＣＯＴ内のアップリンクリソースで前記ｎグループのダウンリンクチャネル／信号内の第ｉグループのダウンリンクチャネル／信号に対応するアップリンク情報を伝送することであって、ｉはｎより小さいか等しい正の整数であることと、を含み、
前記第ｉグループのダウンリンクチャネル／信号に対応するアップリンク情報を伝送するための時間は、（Ｔ０＋Ａ）または（Ｔ０＋Ａ）からの最初のシンボルの開始位置であり、前記（Ｔ０＋Ａ）は、Ｔ１より大きく、Ｔ０は、前記第ｉグループのダウンリンクチャネル／信号の終了時間であり、Ｔ１は、前記ダウンリンクリソースの終了時間であり、Ａは、前記ダウンリンクチャネル／信号の処理遅延であることを特徴とする、前記情報の伝送方法。
【請求項２】
前記（Ｔ０＋Ａ）が（Ｔ１＋Ｇ）より大きく、前記（Ｔ０＋Ａ）は、前記第ｉグループのダウンリンクチャネル／信号に対応するアップリンク情報の時間であり、Ｇは、前記ダウンリンクリソースと前記アップリンクリソースとの間の間隔であることを特徴とする、
請求項１に記載の情報の伝送方法。
【請求項３】
前記ｎグループのダウンリンクチャネル／信号内の１グループのダウンリンクチャネル／信号に対応するアップリンク情報は、同じアップリンクチャネルを介して伝送されることを特徴とする、
請求項１または２に記載の情報の伝送方法。
【請求項４】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報は、フィードバック応答情報であることを特徴とする、
請求項１ないし３のいずれか一項に記載の情報の伝送方法。
【請求項５】
前記第ｉグループのダウンリンクチャネル／信号に対応するアップリンク情報の終了時間は、ネットワークによって構成されるか、プロトコルによって合意されることを特徴とする、
請求項１ないし４のいずれか一項に記載の情報の伝送方法。
【請求項６】
ｉは１より大きく、前記第ｉグループのダウンリンクチャネル／信号に対応するアップリンク情報を伝送するための開始時間は、前記第ｉグループのダウンリンクチャネル／信号の終了時間Ｔ０、前記ダウンリンクリソースの終了時間Ｔ１、前記第（ｉ−１）グループのダウンリンクチャネル／信号に対応するアップリンク情報の終了時間および前記処理遅延に従って決定されることを特徴とする、
請求項１ないし５のいずれか一項に記載の情報の伝送方法。
【請求項７】
前記第ｉグループのダウンリンクチャネル／信号に対応するアップリンク情報を伝送するための開始時間が前記アップリンクリソースの開始時間または前記第（ｉ−１）グループのダウンリンクチャネル／信号に対応するアップリンク情報を伝送するための終了時間より大きいと、前記情報の伝送方法は、
前記端末機器が、前記アップリンクリソースの開始時間と前記第ｉグループのダウンリンクチャネル／信号に対応するアップリンク情報を伝送するための開始時間との間で特定のアップリンクチャネル／信号を送信すること、または
前記端末機器が、前記第（ｉ−１）グループのダウンリンクチャネル／信号に対応するアップリンク情報を伝送するための終了時間と前記第ｉグループのダウンリンクチャネル／信号に対応するアップリンク情報を伝送するための開始時間との間で特定のアップリンクチャネル／信号を送信すること、をさらに含み、
前記特定のアップリンクチャネル／信号は、位置を占有するための情報、サウンディング参照信号（ＳＲＳ）、物理アップリンク共有チャネル（ＰＵＳＣＨ）および復調参照信号（ＤＭＲＳ）のうちの少なくとも１つを含むことを特徴とする、
請求項１ないし６のいずれか一項に記載の情報の伝送方法。
【請求項８】
情報の伝送方法であって、
ネットワーク機器が、１つのチャネル占有時間（ＣＯＴ）内のダウンリンクリソースで端末機器にｎグループのダウンリンクチャネル／信号を送信することであって、前記ｎグループのダウンリンクチャネル／信号内の各グループのダウンリンクチャネル／信号は、少なくとも１つのダウンリンクチャネル／信号を含み、ｎは１より大きいか等しい正の整数であることと、
前記ネットワーク機器が前記ＣＯＴ内のアップリンクリソースで前記ｎグループのダウンリンクチャネル／信号内の第ｉグループのダウンリンクチャネル／信号に対応するアップリンク情報を受信することであって、ｉはｎより小さいか等しい正の整数であることと、を含み、
前記第ｉグループのダウンリンクチャネル／信号に対応するアップリンク情報を受信するための時間は、（Ｔ０＋Ａ）または（Ｔ０＋Ａ）からの最初のシンボルの開始位置であり、前記（Ｔ０＋Ａ）は、Ｔ１より大きく、Ｔ０は、前記第ｉグループのダウンリンクチャネル／信号の終了時間であり、Ｔ１は、前記ダウンリンクリソースの終了時間であり、Ａは、前記ダウンリンクチャネル／信号の処理遅延であることを特徴とする、前記情報の伝送方法。
【請求項９】
前記（Ｔ０＋Ａ）が（Ｔ１＋Ｇ）より大きく、前記（Ｔ０＋Ａ）は、前記第ｉグループのダウンリンクチャネル／信号に対応するアップリンク情報の時間であり、Ｇは、前記ダウンリンクリソースと前記アップリンクリソースとの間の間隔であることを特徴とする、
請求項８に記載の情報の伝送方法。
【請求項１０】
前記ｎグループのダウンリンクチャネル／信号内の１グループのダウンリンクチャネル／信号に対応するアップリンク情報は、同じアップリンクチャネルを介して伝送されることを特徴とする、
請求項８または９に記載の情報の伝送方法。
【請求項１１】
前記第ｉグループのダウンリンクチャネル内のダウンリンクチャネルは、物理ダウンリンク共有チャネル（ＰＤＳＣＨ）であり、前記第ｉグループのダウンリンクチャネルに対応するアップリンク情報はフィードバック応答情報であることを特徴とする、
請求項８ないし１０のいずれか一項に記載の情報の伝送方法。
【請求項１２】
前記第ｉグループのダウンリンクチャネル／信号に対応するアップリンク情報の終了時間は、ネットワークによって構成されるか、プロトコルによって合意されることを特徴とする、
請求項８ないし１１のいずれか一項に記載の情報の伝送方法。
【請求項１３】
プロセッサとメモリとを備える、端末機器であって、当該メモリは、コンピュータプログラムを記憶するように構成され、前記プロセッサは、前記メモリに記憶されたコンピュータプログラムを呼び出して実行して、請求項１ないし７のいずれか一項に記載の情報の伝送方法を実行するように構成されることを特徴とする、前記端末機器。
【請求項１４】
プロセッサとメモリとを備える、ネットワーク機器であって、当該メモリは、コンピュータプログラムを記憶するように構成され、前記プロセッサは、前記メモリに記憶されたコンピュータプログラムを呼び出して実行して、請求項８ないし１２のいずれか一項に記載の情報の伝送方法を実行するように構成されることを特徴とする、前記ネットワーク機器。
【請求項１５】
コンピュータプログラムを記憶するように構成される、コンピュータ可読記憶媒体であって、前記コンピュータプログラムは、コンピュータに請求項１ないし１２のいずれか一項に記載の情報の伝送方法を実行させることを特徴とする、前記コンピュータ可読記憶媒体。
【国際調査報告】
2022500892.tif 000015
2022500892.tif 000016
2022500892.tif 000017
2022500892.tif 000018